(57)【要約】  実施形態は、ワイヤレス通信システム用の送受信機であって、ワイヤレス通信システムのサイドリンクリソースプール［例えば、モード３リソースプール、モード４リソースプール、共有リソースプール、非共有リソースプール、または例外リソースプール］を使用してワイヤレス通信システムの少なくとも１つの他の送受信機と通信するように構成され、ワイヤレス通信システムのサイドリンクリソースプールのうちの１つのサイドリンクリソースプール上のデータパケットをワイヤレス通信システムの他の送受信機に伝送するように構成され、前記データパケットまたは前記データパケット内に含まれるデータに関連付けられたＰＰＰＲ値が［前記データパケットの］高い信頼度を示す場合に、ワイヤレス通信システムのサイドリンクリソースプールのうちの別のサイドリンクリソースプール上で前記データパケットを少なくとも１回再送するように構成される、送受信機を提供する。【選択図】図５ａ
2021518717.tif 000002
【特許請求の範囲】
【請求項１】
ワイヤレス通信システム（１００）用の送受信機（１０９１）であって、
前記送受信機（１０９１）は、前記ワイヤレス通信システム（１００）のサイドリンクリソースプール（３０２１、３０２２）を使用して前記ワイヤレス通信システム（１００）の少なくとも１つの他の送受信機（１０９２）と通信するように構成され、
前記送受信機（１０９１）は、前記ワイヤレス通信システム（１００）の前記サイドリンクリソースプール（３０２１、３０２２）のうちの１つのサイドリンクリソースプール上のデータパケット（３００）を前記ワイヤレス通信システム（１００）の前記他の送受信機（１０９２）に伝送するように構成され、
前記送受信機（１０９１）は、前記データパケット（３００）または前記データパケット（３００）に含まれるデータに関連付けられたＰＰＰＲ値が高い信頼度を示す場合に、前記ワイヤレス通信システム（１００）の前記サイドリンクリソースプール（３０２１、３０２２）のうちの別のサイドリンクリソースプール（３０２２）上で前記データパケット（３００）を少なくとも１回（３００（２）、３００（３））再送するように構成される、送受信機（１０９１）。
【請求項２】
前記データパケット（３００）の再送の数は、前記ＰＰＰＲ値に依存する、請求項１に記載の送受信機（１０９１）。
【請求項３】
前記送受信機（１０９１）は、前記データパケット（３００）または前記データパケット（３００）に含まれるデータに関連付けられた前記ＰＰＰＲ値を取得するように構成される、請求項１または請求項２のいずれか一項に記載の送受信機（１０９１）。
【請求項４】
前記ワイヤレス通信システム（１００）の前記サイドリンクリソースプール（３０２１、３０２２）は、モード３リソースプール、モード４リソースプール、共有リソースプール、非共有リソースプール、または例外リソースプールのうちの少なくとも２つのリソースプールである、請求項１〜請求項３のいずれか一項に記載の送受信機（１０９１）。
【請求項５】
前記ＰＰＰＲ値の範囲は、１〜８であり、
１のＰＰＰＲ値は最も高い信頼度を示し、８のＰＰＰＲ値は最も低い信頼度を示す、請求項１〜請求項４のいずれか一項に記載の送受信機（１０９１）
【請求項６】
前記送受信機（１０９１）は、前記ＰＰＰＲ値が事前に定義された閾値を超える場合、前記データパケット（３００）を少なくとも１回（３００（２）、３００（３））再送するように構成される、請求項１〜請求項５のいずれか一項に記載の送受信機（１０９１）。
【請求項７】
前記送受信機（１０９１）は、前記ＰＰＰＲ値が事前に定義された信頼度以上の信頼度を示す場合、前記データパケット（３００）を少なくとも１回（３００（２）、３００（３））再送するように構成される、請求項１〜請求項６のいずれか一項に記載の送受信機（１０９１）。
【請求項８】
前記送受信機（１０９１）は、前記ワイヤレス通信システム（１００）の中央送受信機（例えば、基地局）によってサービス提供され、前記送受信機（１０９１）は、Ｖ２Ｘモード３で動作するように構成され、この場合、前記少なくとも１つの他の送受信機（１０９２）との通信のためのリソースのスケジューリングは、前記中央送受信機によって実行され、
前記送受信機（１０９１）は、前記ワイヤレス通信システム（１００）の前記サイドリンクリソースプール（３０２１、３０２２）のＶ２Ｘモード３リソースプール上で前記データパケット（３００）を伝送するように構成され、
前記送受信機（１０９１）は、前記ワイヤレス通信システムの前記サイドリンクリソースプールのＶ２Ｘモード４リソースプール、共有リソースプール、非共有リソースプール、または例外リソースプール上で前記データパケット（３００）を少なくとも１回（３００（２）、３００（３））再送するように構成される、請求項１〜請求項７のいずれか一項に記載の送受信機（１０９１）
【請求項９】
前記送受信機（１０９１）は、前記ワイヤレス通信システム（１００）の中央送受信機（例えば、基地局）によってサービス提供され、前記送受信機（１０９１）は、ＮＲ  Ｖ２Ｘモード１で動作するように構成され、この場合、前記少なくとも１つの他の送受信機（１０９２）との通信のためのリソースのスケジューリングは、前記中央送受信機によって実行され、
前記送受信機（１０９１）は、前記ワイヤレス通信システムの前記サイドリンクリソースプールのＮＲ  Ｖ２Ｘモード１リソースプール上で前記データパケット（３００）を伝送するように構成され、
前記送受信機（１０９１）は、前記ワイヤレス通信システムの前記サイドリンクリソースプールの別のまたは同じＮＲ  Ｖ２Ｘモード１リソースプール、ＮＲ  Ｖ２Ｘモード２リソースプール、共有リソースプール、非共有リソースプール、または例外リソースプール上で前記データパケット（３００）を少なくとも１回（３００（２）、３００（３））再送するように構成される、請求項１〜請求項７のいずれか一項に記載の送受信機（１０９１）。
【請求項１０】
前記送受信機（１０９１）は、前記ワイヤレス通信システム（１００）の中央送受信機（例えば、基地局）によってサービス提供され、前記送受信機（１０９１）は、Ｄ２Ｄモード１で動作するように構成され、この場合、前記少なくとも１つの他の送受信機（１０９２）との通信のためのリソースのスケジューリングは、前記中央送受信機によって実行され、
前記送受信機（１０９１）は、前記ワイヤレス通信システムの前記サイドリンクリソースプールのＤ２Ｄモード１リソースプール上で前記データパケット（３００）を伝送するように構成され、
前記送受信機（１０９１）は、前記ワイヤレス通信システムの前記サイドリンクリソースプールの別のまたは同じＤ２Ｄモード１リソースプール、Ｄ２Ｄモード２リソースプール、共有リソースプール、非共有リソースプール、または例外リソースプール上で前記データパケット（３００）を少なくとも１回（３００（２）、３００（３））再送するように構成される、請求項１〜請求項７のいずれか一項に記載の送受信機（１０９１）。
【請求項１１】
前記送受信機（１０９１）は、Ｖ２Ｘモード４で動作するように構成され、前記送受信機（１０９１）は、前記サイドリンク通信のためのリソースを自律的にスケジューリングするように構成され、
前記送受信機（１０９１）は、前記ワイヤレス通信システム（１００）の前記サイドリンクリソースプール（３０２１、３０２２）のＶ２Ｘモード４リソースプール上で前記データパケット（３００）を伝送するように構成され、
前記送受信機（１０９１）は、前記ワイヤレス通信システムの前記サイドリンクリソースプールのＶ２Ｘモード３リソースプール、共有リソースプール、非共有リソースプール、または例外リソースプール上で前記データパケット（３００）を少なくとも１回再送するように構成される、請求項１〜請求項７のいずれか一項に記載の送受信機（１０９１）。
【請求項１２】
前記送受信機（１０９１）は、ＮＲ  Ｖ２Ｘモード２で動作するように構成され、前記送受信機（１０９１）は、前記サイドリンク通信のためのリソースを自律的にスケジューリングするように構成され、
前記送受信機（１０９１）は、前記ワイヤレス通信システム（１００）の前記サイドリンクリソースプール（３０２１、３０２２）のＮＲ  Ｖ２Ｘモード２リソースプール上で前記データパケット（３００）を伝送するように構成され、
前記送受信機（１０９１）は、前記ワイヤレス通信システムの前記サイドリンクリソースプールの別のまたは同じＮＲ  Ｖ２Ｘモード２リソースプール、ＮＲ  Ｖ２Ｘモード１リソースプール、共有リソースプール、非共有リソースプール、または例外リソースプール上で前記データパケット（３００）を少なくとも１回（３００（２）、３００（３））再送するように構成される、請求項１〜請求項７のいずれか一項に記載の送受信機（１０９１）。
【請求項１３】
前記送受信機（１０９１）は、Ｄ２Ｄモード２で動作するように構成され、前記送受信機（１０９１）は、前記サイドリンク通信のためのリソースを自律的にスケジューリングするように構成され、
前記送受信機（１０９１）は、前記ワイヤレス通信システム（１００）の前記サイドリンクリソースプール（３０２１、３０２２）のＤ２Ｄモード２リソースプール上で前記データパケットを伝送するように構成され、
前記送受信機（１０９１）は、前記ワイヤレス通信システムの前記サイドリンクリソースプールの別のまたは同じＤ２Ｄモード２リソースプール、Ｄ２Ｄモード１リソースプール、共有リソースプール、非共有リソースプール、または例外リソースプール上で前記データパケット（３００）を少なくとも１回（３００（２）、３００（３））再送するように構成される、請求項１〜請求項７のいずれか一項に記載の送受信機（１０９１）。
【請求項１４】
前記送受信機（１０９１）は、ＲＬＦ／非センシング情報またはハンドオーバが利用可能である場合に、前記ワイヤレス通信システム（１００）の前記サイドリンクリソースプールの例外リソースプール上で前記データパケット（３００）を伝送するように構成され、さらに前記ワイヤレス通信システム（１００）の前記サイドリンクリソースプールの以前に使用されたリソースプール上で前記データパケットを少なくとも１回再送するように構成される、請求項１〜請求項１３のいずれか一項に記載の送受信機（１０９１）。
【請求項１５】
前記送受信機（１０９１）は、キャリアアグリゲーションの場合に、コンポーネントキャリア上で前記データパケット（３００）を伝送するように構成され、さらに別のコンポーネントキャリア上で前記データパケットを少なくとも１回再送するように構成される、請求項１〜請求項１４のいずれか一項に記載の送受信機（１０９１）。
【請求項１６】
ワイヤレス通信システム（１００）用の送受信機（１０９１）であって、
前記送受信機（１０９１）は、前記ワイヤレス通信システム（１００）の少なくとも１つの他の送受信機（１０９２）と通信するように構成され、
前記送受信機（１０９１）は、コンポーネントキャリア上のデータパケット（３００）を前記ワイヤレス通信システム（１００）の前記他の送受信機（１０９２）に伝送するように構成され、
前記送受信機（１０９１）は、前記データパケット（３００）または前記データパケット（３００）に含まれるデータに関連付けられたＰＰＰＲ値が高い信頼度を示す場合に、少なくとも１つの他のコンポーネントキャリア上で前記データパケット（３００）を少なくとも１回（３００（２）、３００（３））再送するように構成される、送受信機（１０９１）。
【請求項１７】
前記送受信機（１０９１）は、前記ＰＰＰＲ値が事前に定義された信頼度または閾値以上の信頼度を示す場合に、前記データパケット（３００）を少なくとも１回（３００（２）、３００（３））再送するように構成される、請求項１６に記載の送受信機（１０９１）。
【請求項１８】
前記送受信機（１０９１）は、前記ワイヤレス通信システムの中央送受信機（例えば、基地局）によってサービス提供され、前記送受信機（１０９１）は、ＬＴＥ  Ｖ２Ｘモード３、ＮＲ  Ｖ２Ｘモード１またはＤ２Ｄモード１で動作するように構成され、この場合、前記少なくとも１つの他の送受信機（１０９２）との通信のためのリソースのスケジューリングは、前記中央送受信機によって実行される、請求項１６または請求項１７のいずれかに記載の送受信機（１０９１）。
【請求項１９】
前記送受信機（１０９１）は、Ｖ２Ｘモード４、ＮＲ  Ｖ２Ｘモード２またはＤ２Ｄモード２で動作するように構成され、前記送受信機（１０９１）は、前記サイドリンク通信のためのリソースを自律的にスケジューリングするように構成される、請求項１６または請求項１７のいずれかに記載の送受信機（１０９１）。
【請求項２０】
前記送受信機（１０９１）は、キャリアアグリゲーションを使用して動作するように構成される、請求項１６〜請求項１９のいずれか一項に記載の送受信機。
【請求項２１】
ワイヤレス通信システム（１００）用の送受信機（１０９１）であって、
前記送受信機（１０９１）は、前記ワイヤレス通信システム（１００）のサイドリンクリソースプールを使用して前記ワイヤレス通信システム（１００）の少なくとも１つの他の送受信機（１０９１）と通信するように構成され、
前記送受信機（１０９１）は、前記ワイヤレス通信システム（１００）の前記サイドリンクリソースプール（３０２１、３０２２）のうちの１つのサイドリンクリソースプール上のデータパケット（３００）を前記ワイヤレス通信システム（１００）の前記他の送受信機（１０９２）に伝送するように構成され、
前記送受信機（１０９１）は、前記データパケット（３００）または前記データパケット（３００）に含まれるデータに関連付けられたＰＰＰＲ値が高い信頼度を示す場合に、
前記ワイヤレス通信システム（１００）の前記サイドリンクリソースプール（３０２１、３０２２）のうちの別のサイドリンクリソースプール上で、
または、キャリアアグリゲーションの場合、別のコンポーネントキャリア上で、
または、前記ワイヤレス通信システム（１００）の前記サイドリンクリソースプール（３０２１、３０２２）のうちの同じリソースプール上であるが、異なるキャリア上で、
前記データパケット（３００）を少なくとも１回再送するように構成される、送受信機（１０９１）。
【請求項２２】
前記送受信機（１０９１）は、前記ＰＰＰＲ値が事前に定義された信頼度または閾値以上の信頼度を示す場合に、前記データパケット（３００）を少なくとも１回再送するように構成される、請求項２１に記載の送受信機（１０９１）。
【請求項２３】
前記送受信機（１０９１）は、前記ワイヤレス通信システム（１００）の中央送受信機（例えば、基地局）によってサービス提供され、前記送受信機（１０９１）は、ＬＴＥ  Ｖ２Ｘモード３、ＮＲ  Ｖ２Ｘモード１またはＤ２Ｄモード１で動作するように構成され、この場合、前記少なくとも１つの他の送受信機（１０９２）との通信のためのリソースのスケジューリングは、前記中央送受信機によって実行される、請求項２１または請求項２２のいずれかに記載の送受信機（１０９１）。
【請求項２４】
前記送受信機（１０９１）は、ＬＴＥ  Ｖ２Ｘモード４、ＮＲ  Ｖ２Ｘモード２またはＤ２Ｄモード２で動作するように構成され、前記送受信機（１０９１）は、前記サイドリンク通信のためのリソースを自律的にスケジューリングするように構成される、請求項２１または請求項２２のいずれかに記載の送受信機（１０９１）。
【請求項２５】
ＰＰＰＲを用いた共有リソースプール／非共有リソースプール／例外リソースプール上のパケット複製のための要求される信頼度を考慮した高優先度データ処理のための装置（１０９１）。
【請求項２６】
ＰＰＰＲ情報を使用してネットワークスライシングするための装置（１０９１）。
【請求項２７】
ＰＰＰＲ値を使用して、現在のリソースプール（ＳＣＩ）に疑似データを追加することによって連続するリソースプール内のリソース予約を可能にする装置（１０９１）。
【請求項２８】
ワイヤレス通信システム（１００）のサイドリンクリソースプール（３０２１、３０２２）を使用して互いに通信している少なくとも２つの送受信機（１０９１、１０９２）間の前記ワイヤレス通信システム（１００）においてデータパケットを伝送する方法（４００）であって、
前記ワイヤレス通信システム（１００）の前記サイドリンクリソースプール（３０２１、３０２２）のうちの１つのサイドリンクリソースプール上のデータパケット（３００）を前記ワイヤレス通信システム（１００）の前記他の送受信機（１０９２）に伝送すること（４０２）と、
前記データパケット（３００）または前記データパケット（３００）に含まれるデータに関連付けられたＰＰＰＲ値が高い信頼度を示す場合に、前記ワイヤレス通信システム（１００）の前記サイドリンクリソースプール（３０２１、３０２２）のうちの別のサイドリンクリソースプール上で前記データパケット（３００）を少なくとも１回（３００（２）、３００（３））再送すること（４０４）と
を含む、方法（４００）。
【請求項２９】
互いに通信している少なくとも２つの送受信機（１０９１、１０９２）間のワイヤレス通信システム（１００）においてデータパケットを伝送する方法（４１０）であって、
コンポーネントキャリア上のデータパケット（３００）を前記ワイヤレス通信システム（１００）の送受信機（１０９１）から他の送受信機（１０９２）に伝送すること（４１２）と、
前記データパケット（３００）または前記データパケット（３００）に含まれるデータに関連付けられたＰＰＰＲ値が高い信頼度を示す場合に、少なくとも１つの他のコンポーネントキャリア上で前記データパケット（３００）を少なくとも１回（３００（２）、３００（３））再送すること（４１４）と
を含む、方法（４１０）。
【請求項３０】
ワイヤレス通信システム（１００）のサイドリンクリソースプール（３０２１、３０２２）を使用して互いに通信している少なくとも２つの送受信機（１０９１、１０９２）間の前記ワイヤレス通信システム（１００）においてデータパケットを伝送する方法（４２０）であって、
前記ワイヤレス通信システム（１００）の前記サイドリンクリソースプール（３０２１、３０２２）のうちの１つのサイドリンクリソースプール上のデータパケット（３００）を前記ワイヤレス通信システム（１００）の一方の送受信機（１０９１）から他方の送受信機（１０９１）に伝送すること（４２２）と、
前記データパケット（３００）または前記データパケット（３００）に含まれるデータに関連付けられたＰＰＰＲ値が高い信頼度を示す場合に、
前記ワイヤレス通信システム（１００）の前記サイドリンクリソースプール（３０２１、３０２２）のうちの別のまたは同じサイドリンクリソースプール上で、
または、キャリアアグリゲーションの場合、別のコンポーネントキャリア上で、
または、前記ワイヤレス通信システム（１００）の前記サイドリンクリソースプール（３０２１、３０２２）のうちの同じリソースプール上であるが、異なるキャリア上で、
前記データパケット（３００）を少なくとも１回再送すること（４２４）と
を含む、方法（４２０）。
【請求項３１】
ＰＰＰＲを用いた共有リソースプール／非共有リソースプール／例外リソースプール上のパケット複製のための要求される信頼度を考慮した高優先度データ処理方法。
【請求項３２】
ＰＰＰＲ情報を使用してネットワークスライシングする方法。
【請求項３３】
ＰＰＰＲ値を使用して、現在のリソースプール（ＳＣＩ）に疑似データを追加することによって連続するリソースプール内のリソース予約を可能にする方法。
【請求項３４】
コンピュータまたはマイクロプロセッサ上で実行されたときに、請求項２８〜請求項３３のいずれか一項に記載の方法を実行するためのコンピュータプログラム。
【発明の詳細な説明】
【技術分野】
【０００１】
本発明は、ワイヤレス通信ネットワークの分野に関し、より詳細には、超高信頼低遅延通信（ＵＲＬＬＣ）用のデータを伝送するための概念に関する。いくつかの実施形態は、Ｖ２Ｘのサービス品質向上に関する。
【背景技術】
【０００２】
図１は、コアネットワーク１０２および無線アクセスネットワーク１０４を含むワイヤレスネットワーク１００の一例の概略図である。無線アクセスネットワーク１０４は、複数の基地局ｇＮＢ１〜ｇＮＢ５を含み得、各々の基地局は、それぞれのセル１０６１〜１０６５で概略的に表される基地局の周囲の特定領域にサービスを提供する。基地局は、セル内のユーザにサービスを提供するために設けられる。基地局（ＢＳ）という用語は、５Ｇネットワーク内のｇＮＢ、ＵＭＴＳ／ＬＴＥ／ＬＴＥ−Ａ／ＬＴＥ−Ａ  Ｐｒｏ内のｅＮＢ、または他の移動通信規格におけるＢＳのみを指す。ユーザは、固定式デバイスまたは移動式デバイスであり得る。さらに、ワイヤレス通信システムは、基地局またはユーザに接続する移動式または固定式のＩｏＴデバイスによってアクセスされ得る。移動式デバイスまたはＩｏＴデバイスは、物理デバイス、ロボットまたは自動車のような地上車両、有人航空機または無人航空機（ＵＡＶ）（ドローンとも呼ばれる）のような航空機、建物、および電子機器、ソフトウェア、センサ、アクチュエータなどが埋め込まれた他のアイテム、さらにこれらのデバイスが既存のネットワークインフラを介してデータを収集および交換することを可能にするネットワーク接続を含み得る。図１は、５つのセルのみを示した例示的な図であるが、ワイヤレス通信システムは、それより多くのそのようなセルを含み得る。図１は、セル１０６２内にあり、基地局ｇＮＢ２によってサービス提供される、ユーザ機器（ＵＥ）とも呼ばれる、２つのユーザＵＥ１およびＵＥ２を示す。別のユーザＵＥ３は、基地局ｇＮＢ４によってサービス提供されるセル１０６４内に示されている。矢印１０８１、１０８２および１０８３は、ユーザＵＥ１、ＵＥ２、およびＵＥ３から基地局ｇＮＢ２、ｇＮＢ４にデータを伝送するため、または基地局ｇＮＢ２、ｇＮＢ４からユーザＵＥ１、ＵＥ２、およびＵＥ３にデータを伝送するためのアップリンク／ダウンリンク接続を概略的に表す。移動式デバイス（例えば、ＵＥを備える車両）などのユーザは、図３および図４に関して後述するように、カバレッジモード（たとえば、ＬＴＥ  Ｖ２Ｘモード３、それぞれＤ２Ｄモード１またはＮＲ  Ｖ２Ｘモード１）およびカバレッジ外モード（たとえば、ＬＴＥ  Ｖ２Ｘモード４、それぞれＤ２Ｄモード２またはＮＲ  Ｖ２Ｘモード２）の両方において、ＰＣ５インターフェース（たとえば、Ｄ２Ｄ、ＬＴＥ  Ｖ２Ｘ／Ｖ２ＶまたはＮＲ  Ｖ２Ｘ／Ｖ２Ｖの場合）を使用して、さらに互いに直接通信し得る。さらに、図１は、セル１０６４内の２つのＩｏＴデバイス１１０１および１１０２を示しており、これらのデバイスは固定式デバイスまたは移動式デバイスであり得る。ＩｏＴデバイス１１０１は、基地局ｇＮＢ４を介してワイヤレス通信システムにアクセスして、矢印１１２１で概略的に表されているようにデータを送受信する。ＩｏＴデバイス１１０２は、矢印１１２２で概略的に表されているように、ユーザＵＥ３を介してワイヤレス通信システムにアクセスする。それぞれの基地局ｇＮＢ１〜ｇＮＢ５は、図１において「コア」を指し示す矢印で概略的に表されているそれぞれのバックホールリンク１１４１〜１１４５を介���て、コアネットワーク１０２に（例えば、Ｓ１インターフェースを介して）接続され得る。コアネットワーク１０２は、１つまたは複数の外部ネットワークに接続され得る。さらに、それぞれの基地局ｇＮＢ１〜ｇＮＢ５の一部または全ては、例えば、ＮＲ内のＳ１もしくはＸ２インターフェースまたはＸＮインターフェースを介して接続され得、図１において「ｇＮＢ」を指し示す矢印で概略的に表されているそれぞれのバックホールリンク１１６１〜１１６５を介して互いに接続され得る。
【０００３】
図１に示されているワイヤレスネットワークまたは通信システムは、２つの別個のオーバーレイネットワーク、すなわち、基地局ｅＮＢ１〜ｅＮＢ５のようなマクロ基地局を含む各マクロセルを有するマクロセルネットワーク、およびフェムトまたはピコ基地局のようなスモールセル基地局のネットワーク（図１には図示せず）を有するヘテロジニアスネットワークであり得る。
【０００４】
データ伝送のために、物理リソースグリッドが使用され得る。物理リソースグリッドは、様々な物理チャネルおよび物理的信号がマッピングされるリソース要素のセットを含み得る。例えば、物理チャネルは、ダウンリンク／アップリンクペイロードデータとも呼ばれるユーザ固有のデータを搬送する物理ダウンリンク共有チャネル／物理アップリンク共有チャネル（ＰＤＳＣＨ／ＰＵＳＣＨ）、例えばマスタ情報ブロック（ＭＩＢ）およびシステム情報ブロック（ＳＩＢ）を搬送する物理ブロードキャストチャネル（ＰＢＣＨ）、例えばダウンリンク制御情報（ＤＣＩ）を搬送する物理ダウンリンク制御チャネル／物理アップリンク制御チャネル（ＰＤＣＣＨ／ＰＵＣＣＨ）などを含み得る。アップリンクでは、物理チャネルは、ＵＥが同期してＭＩＢおよびＳＩＢを取得した後にネットワークにアクセスするために、ＵＥによって使用される物理ランダムアクセスチャネル（ＰＲＡＣＨまたはＲＡＣＨ）をさらに含み得る。物理的信号は、基準信号（ＲＳ）、同期信号などを含み得る。リソースグリッドは、時間ドメインおいて１０ミリ秒のような一定の持続時間を有し、周波数ドメインにおいて所与の帯域幅を有するフレームまたは無線フレームを含み得る。フレームは、事前に定義された長さのある一定の数のサブフレーム（例えば、１ミリ秒の長さを有する２つのサブフレーム）を有し得る。各サブフレームは、サイクリックプレフィックス（ＣＰ）長に応じて、６個または７個のＯＦＤＭシンボルの２個のスロットを含み得る。さらに、フレームは、例えば、短縮伝送時間間隔（ｓＴＴＩ）またはわずか数個のＯＦＤＭシンボルを含むミニスロット／非スロットベースのフレーム構造を利用する場合、より少数のＯＦＤＭシンボルから構成され得る。
【０００５】
ワイヤレス通信システムは、直交周波数分割多重化（ＯＦＤＭ）システム、直交周波数分割多元接続（ＯＦＤＭＡ）システム、またはＣＰの有無に関わらず任意の他のＩＦＦＴベースの信号（例えば、ＤＦＴ−ｓ−ＯＦＤＭ）のような周波数分割多重化を使用する任意のシングルトーンシステムまたはマルチキャリアシステムであり得る。多元接続用の非直交波形（例えば、フィルタバンクマルチキャリア（ＦＢＭＣ）、一般化周波数分割多重化（ＧＦＤＭ）、またはユニバーサルフィルタマルチキャリア（ＵＦＭＣ））のような他の波形が使用され得る。ワイヤレス通信システムは、例えば、ＬＴＥ−Ａｄｖａｎｃｅｄ  Ｐｒｏ規格または５ＧもしくはＮＲ（Ｎｅｗ  Ｒａｄｉｏ）規格に従って、動作し得る。
【０００６】
図１に示されているワイヤレス通信ネットワークでは、無線アクセスネットワーク１０４は、各々がプライマリ基地局（マクロ基地局とも呼ばれる）を含むプライマリセルのネットワークを含むヘテロジニアスネットワークであり得る。さらに、マクロセルの各々に対して、複数のセカンダリ基地局（スモールセル基地局とも呼ばれる）が設けられ得る。図２は、マクロセル１０６１を含むマクロセルネットワークとスモールセルネットワークとを含む２つの別個のオーバーレイネットワークを有する、図１のセル１０６１のようなセルの概略図である。図２は、１つのマクロセルのみを表しているが、図１の他のセルのうちの１つまたは複数は、オーバーレイネットワークも使用し得ることに留意されたい。スモールセルネットワークは、各々がそれぞれのエリア１２０１〜１２０５（スモールセルのカバレッジエリアとも呼ばれる）内で動作する複数のスモールセル基地局ＳｅＮＢ１〜ＳｅＮＢ５を含む。スモールセル基地局ＳｅＮＢ１〜ＳｅＮＢ５は、それぞれのスモールセル基地局ＳｅＮＢ１〜ＳｅＮＢ５がそれぞれのバックホールリンク１２２１〜１２２５を介して接続されたマクロセル基地局ＭｅＮＢ１によって制御され得る。バックホールリンクを介してスモールセル基地局をマクロセル基地局に接続するのではなく、スモールセル基地局のうちの１つまたは複数は、それぞれのバックホールリンクを介してコアネットワークに結合され得る。図２は、矢印１２４１で示されているマクロセル基地局ＭｅＮＢ１によって、および矢印１２４２で概略的に示されているスモールセル基地局ＳｅＮＢ１によってサービス提供されるユーザ機器ＵＥをさらに示す。
【０００７】
移動通信ネットワークにおいて、例えば、ＬＴＥまたは５Ｇ／ＮＲネットワークのような図１および図２を参照して上述したようなネットワークにおいて、例えばＰＣ５インターフェースを使用して、１つまたは複数のサイドリンク（ＳＬ）チャネル経由で互いに直接通信するＵＥが存在し得る。サイドリンク経由で互いに直接通信するＵＥは、他の車両と直接通信している車両（Ｖ２Ｖ通信）、ワイヤレス通信ネットワークの他のエンティティ（例えば、信号機、交通標識、歩行者のような路側エンティティ）と通信する車両（Ｖ２Ｘ通信）、またはネットワークインフラと通信する車両（Ｖ２Ｉ）を含み得る。他のＵＥは、車両関連ＵＥでなくてもよく、上述のデバイスのうちのいずれかを備え得る。このようなデバイスはさらに、サイドリンクチャネル（すなわち、Ｄ２ＤまたはＶ２Ｘ通信などの直接通信、この場合、Ｖ２ＸはＤ２Ｄの特殊な形態（例えば、モビリティを有するＤ２Ｄ）と考えられ得る）を使用して互いに直接通信し得る。
【０００８】
サイドリンク経由で互いに直接通信している２つのＵＥを考えると、両方のＵＥは、同じ基地局によってサービス提供され得る。すなわち、両方のＵＥは、図１に示されている基地局のカバレッジエリアのような基地局のカバレッジエリア内にあり得る。これは、「カバレッジ内」シナリオと呼ばれる。他の例によれば、サイドリンク経由で通信する両方のＵＥは、基地局によってサービス提供されないことがあり、これは「カバレッジ外」シナリオと呼ばれる。「カバレッジ外」は、２つのＵＥが図１または図２に示されているセルの１つの中にないことを意味しているのではなく、これらのＵＥが基地局に接続されていない、例えば、ＲＲＣ接続状態にないことを意味することに留意すべきである。さらに別のシナリオは、「部分カバレッジ」シナリオと呼ばれ、このシナリオでは、サイドリンク経由で互いに通信する２つのＵＥのうちの一方は基地局によってサービス提供されるが、他方のＵＥは基地局によってサービス提供されない。上記のシナリオの各々において、ＵＥおよび／またはＢＳは、ＵＥ間のサイドリンク通信のために使用すべきリソースについて認識している必要がある。
【０００９】
図３は、互いに直接通信している２つのＵＥが、共に基地局のカバレッジ内にある状況を示す概略図である。基地局ｇＮＢは、基本的に図１または図２に概略的に示されているセルに対応する円２００で概略的に示されたカバレッジエリアを有する。互いに直接通信しているＵＥは、基地局ｇＮＢのカバレッジエリア２００内に第１の車両２０２および第２の車両２０４の両方を含む（これは２つのＵＥが異なるｇＮＢに接続される任意のシナリオにも有効である）。両方の車両２０２、２０４は、基地局ｇＮＢに接続され、さらに、ＰＣ５インターフェース経由で互いに直接接続される。Ｖ２Ｖトラフィックのスケジューリングおよび／または干渉管理は、基地局とＵＥとの間の無線インターフェースであるＵｕインターフェース上の制御信号を介して、ｇＮＢによって支援される。ＢＳは、サイドリンク経由のＶ２Ｖ通信のための所与のリソースプール内で使用すべきリソースをスケジューリングし、割り当てる。ＵＥは、カバレッジ内およびＲＲＣ＿ＣＯＮＮＥＣＴＥＤ状態にあるときのみ、このモードで動作する。この構成は、モード３構成（例えば、ＬＴＥ  Ｖ２Ｘの場合であり、Ｄ２Ｄの場合、これはモード１と呼ばれる）とも呼ばれる。ＮＲ  Ｖ２Ｘ（リリース１６以降）については、これはモード１と呼ばれる。
【００１０】
図４は、ＵＥがＢＳのカバレッジ外にあり、すなわち、互いに直接通信しているそれぞれのＵＥが基地局に接続される場合もあれば、そうでない場合もある（すなわち、これらのＵＥは、物理的にワイヤレス通信ネットワークのセルのカバレッジ内にあり得、ＲＲＣ＿ＣＯＮＮＥＣＴＥＤまたはＲＲＣ＿ＩＤＬＥ状態のいずれかでもあり得る）シナリオを示す。例えばＰＣ５インターフェースを使用して、サイドリンク経由で互いに直接通信している３台の車両２０６、２０８および２１０が示されている。Ｖ２Ｖトラフィックのスケジューリングおよび／または干渉管理は、ＵＥにおいて実装されたアルゴリズムおよび／またはネットワークによって（部分的に）事前に構成されたアルゴリズムに基づく。この構成は、モード４構成（例えば、ＬＴＥ  Ｖ２Ｘの場合）とも呼ばれる。Ｄ２Ｄの場合、これはモード２と呼ばれる。ＮＲ  Ｖ２Ｘの場合、これはモード２と呼ばれる。
【００１１】
上述したように、カバレッジ外シナリオである図４のシナリオは、それぞれのモード４のＵＥ（例えば、ＬＴＥ  Ｖ２Ｘの場合。Ｄ２ＤまたはＮＲ  Ｖ２Ｘの場合は、それぞれモード２）は、基地局のカバレッジの外側に存在しなければならないことを意味するのではなく、それぞれのモード４のＵＥが基地局によってサービス提供されていないか、またはカバレッジエリアの基地局に接続されていないことを意味する。したがって、図３に示されているカバレッジエリア２００内には、モード３のＵＥ２０２、２０４（例えば、ＬＴＥ  Ｖ２Ｘの場合。Ｄ２ＤまたはＮＲ  Ｖ２Ｘの場合は、それぞれモード１）に加えて、モード４のＵＥ２０６、２０８、２１０（例えば、ＬＴＥ  Ｖ２Ｘの場合。Ｄ２ＤまたはＮＲ  Ｖ２Ｘの場合は、それぞれモード２）が存在する状況があり得る。モード４のＵＥ２０６〜２１０は自身のリソースを自律的にスケジューリングし、ネットワークに接続されないので、基地局は、サイドリンク通信のためにモード４のＵＥ２０６〜２１０によって使用されるリソースを認識せず、同様に、モード４のＵＥ２０６〜２１０は、サイドリンク通信のために基地局ｇＮＢによってモード３のＵＥ２０２、２０４にスケジューリングされたリソースを認識しない。したがって、それぞれのモードのＵＥ間およびモード４のＵＥ間のリソース衝突が発生する場合がある。
【００１２】
図１〜図４を参照して上述したようなワイヤレス通信ネットワークにおいて、３ＧＰＰの現在の（例えば、ＬＴＥ）Ｖ２Ｘ仕様は、以下の２つのモードをサポートする。
・モード３：ｅＮＢを介したリソースプロビジョニング。ＵＥは、Ｖ２Ｘ動作をサポートするｅＮＢに接続され、ｅＮＢからそのリソースを取得する。
・モード４：自律モード／分散スケジューリング。ＵＥは、自身で適切なリソースを検出する必要がある。現在では、伝送のための任意のリソースを使用する前に、１秒のセンシング動作が必要である。
【００１３】
ワイヤレス通信ネットワークにおいて、ＰｒｏＳｅまたはＤ２Ｄ用の３ＧＰＰのサイドリンク仕様（リリース１２以降）は、以下の２つのモードをサポートする。
・モード１：ｅＮＢまたはｇＮＢを介したリソースプロビジョニング。ＵＥは、サイドリンク構成をサポートするｅＮＢまたはｇＮＢに接続され、ｅＮＢまたはｇＮＢからそのリソースを取得する。
・モード２： ＵＥは、自身で適切なリソースを検出する必要がある。
【００１４】
ワイヤレス通信ネットワークにおいて、３ＧＰＰのＮＲサイドリンクＶ２Ｘ仕様（リリース１６以降）は、以下の２つのモードをサポートする。
・モード１：ｇＮＢまたはｅＮＢを介したリソースプロビジョニング。ＵＥは、サイドリンク構成をサポートするｇＮＢまたはｅＮＢに接続され、そのうちのいずれかからそのリソースを取得する。
・モード２： ＵＥは、自身で適切なリソースを検出する必要がある。ＵＥは、ＢＳ／ネットワークによって構成されたＳＬリソース、または事前に構成されたＳＬリソース内のＳＬ伝送リソース（複数を含む）を決定する、すなわち、ＢＳはスケジューリングしない［１３］。
【００１５】
いわゆる緊急プールは、伝送のための構成リソースを有さないＵＥによって非常に限定的な目的（例えば、ハンドオーバ中）のために使用され得る特別なリソースプールである。
【００１６】
現在の３ＧＰＰ仕様は、ＰＰＰＰに基づく優先処理を含み、これは、データ伝送のためのＰＰＰＰ関連リソースプールの好ましいスケジューリングおよび選択を含む。
【００１７】
Ｖ２Ｘ、Ｖ２Ｖ、Ｄ２Ｄ、およびサイドリンクは、［１、３、４］に記載されている。サイドリンクにおけるグラントフリー伝送（Ｄ２Ｄの場合は伝送モード２、ＬＴＥ  Ｖ２Ｘの場合は伝送モード４）は、［２、５］に記載されている。
【００１８】
ネットワークスライシングに関して、ＵＥは、現在のところ、最大８つのスライスを並行してサポートするものとされている（ＲＡＮ２）。しかしながら、ネットワークは、複数のスライス、例えば数百のスライスをサポートする必要があり得る［７］。
【００１９】
信頼度を向上させるために、パケット複製は、本明細書において既に予想されている。特に、モード３（例えば、ＬＴＥ  Ｖ２Ｘの場合。さらに、Ｄ２Ｄの場合はモード１、ＮＲ  Ｖ２Ｘの場合はモード１）およびモード４（例えば、ＬＴＥ  Ｖ２Ｘの場合。さらに、Ｄ２Ｄの場合はモード２、ＮＲ  Ｖ２Ｘの場合はモード２）を共有する新規トピックリソースプールに関して、パケット複製を実装する最良のスキームは、いまだ未解決である。
【発明の概要】
【発明が解決しようとする課題】
【００２０】
したがって、本発明の目的は、特に、ＬＴＥ  Ｖ２Ｘの場合のモード３ならびにモード４、および／またはＮＲ  Ｖ２ＸならびにＤ２Ｄの場合のモード１ならびにモード２を共有する新規トピックリソースプールに関して、パケット複製を実装するための概念を提供することである。
【００２１】
この目的は、独立請求項によって解決される。
【００２２】
有利な実施形態は、従属請求項の中で提示されている。
【課題を解決するための手段】
【００２３】
実施形態は、ワイヤレス通信システム用送受信機であって、ワイヤレス通信システムのサイドリンクリソースプール［例えば、モード３リソースプール、モード４リソースプール、共有リソースプール、非共有リソースプール、または例外リソースプール］を使用してワイヤレス通信システムの少なくとも１つの他の送受信機と通信するように構成され、ワイヤレス通信システムのサイドリンクリソースプールのうちの１つのサイドリンクリソースプール上のデータパケットをワイヤレス通信システムの他の送受信機に伝送するように構成され、前記データパケットまたは前記データパケット内に含まれるデータに関連付けられたＰＰＰＲ値（ＰＰＰＲ＝ＰｒｏＳｅパケット単位信頼度）が［前記データパケットの］高い信頼度を示す場合に、ワイヤレス通信システムのサイドリンクリソースプールのうちの別のサイドリンクリソースプール上で前記データパケットを少なくとも１回再送するように構成される、送受信機を提供する。
【００２４】
たとえば、ＮＲ−Ｖ２Ｘの場合、パケット単位優先度（ＬＴＥの場合のＰＰＰＰまたはＰＰＰＲと同様、例えば、任意のＱｏＳメトリック）が、少なくとも非ユニキャスト（例えば、ブロードキャストまたはグループキャスト）通信シナリオに対して指定されている。
【００２５】
たとえば、ユニキャスト通信、および場合によってはグループキャスト通信のためのＮＲ  Ｖ２Ｘの場合、ベアラベースのモデルは、他のＱｏＳメトリック（例えば、５ＱＩ、またはＰＱＩもしくはＶＱＩ）、または任意の他のＱｏＳフロー値を使用して指定されている［１４］、［１５］、［１６］。
【００２６】
実施形態では、前記データパケットの再送の数は、ＰＰＰＲ値に依存する。
【００２７】
実施形態では、送受信機は、前記データパケットまたは前記データパケットに含まれるデータに関連付けられたＰＰＰＲ値を取得する［例えば、受信する、決定する、または前記データパケットから抽出する］ように構成される。
【００２８】
実施形態では、ワイヤレス通信システムのサイドリンクリソースプールは、モード３リソースプール、モード４リソースプール、共有リソースプール、非共有リソースプール、または例外リソースプールのうちの少なくとも２つのリソースプールである。
【００２９】
実施形態では、ＰＰＰＲ値の範囲は１〜８であり、１のＰＰＰＲ値は最も高い信頼度を示し、８のＰＰＰＲ値は最も低い信頼度を示す。
【００３０】
実施形態では、送受信機は、ＰＰＰＲ値が事前に定義された閾値を超える場合、前記データパケットを少なくとも１回再送するように構成される。
【００３１】
それに関して、信頼度に対するＰＰＰＲ値マッピングは上下逆であり、すなわち１が最も高い優先度、８が最も低い優先度であり、「閾値を超える」とは、事前に定義されたＰＰＰＲ値以下であるＰＰＰＲ値を指すことに留意されたい。
【００３２】
具体的には、優先度閾値は、ｃｂｒ−ＣｏｎｆｉｇＩｎｄｅｘおよびｔｘ−ＣｏｎｆｉｇＩｎｄｅｘＬｉｓｔの構成に関連付けられたＰＰＰＰ範囲の上限を示す。ＰＰＰＲの範囲の上限は、ＳＬ−ＣＢＲ−ＰＰＰＲ−ＴｘＣｏｎｆｉｇＬｉｓｔ内のＳＬ−ＰＰＰＲ−ＴｘＣｏｎｆｉｇＩｎｄｅｘの連続するエントリのために昇順に構成される。ＳＬ−ＰＰＰＲ−ＴｘＣｏｎｆｉｇＩｎｄｅｘの第１のエントリについて、ＰＰＰＲ範囲の下限は１である。
【００３３】
実施形態では、送受信機は、ＰＰＰＲ値が事前に定義された信頼度以上の信頼度を示す場合に、前記データパケットを少なくとも１回再送するように構成される。
【００３４】
例えば、ＮＲ−Ｖ２Ｘの場合、送受信機は、以下のように構成される。
・パケット単位ベースのＱｏＳモデルの場合：前記データパケットを少なくとも１回再送するように構成される。
・ベアラベースのＱｏＳモデルの場合：ＱｏＳメトリック（例えば、５ＱＩ、ＰＱＩ、ＶＱＩ、またはＰＰＰＰもしくはＰＰＰＲ、または任意の他のＱｏＳメトリック値が事前に定義された閾値を超える場合に、並列ベアラまたはマルチベアラをセットアップするように構成される。［ＴＳ２３．５０１］、［ＴＲ２３．７８６］、［１６］
【００３５】
実施形態では、送受信機は、ワイヤレス通信システムの中央送受信機（例えば、基地局）によってサービス提供され、送受信機は、（例えば、ＬＴＥ）Ｖ２Ｘモード３で動作するように構成され、この場合、少なくとも１つの他の送受信機との通信のためのリソースのスケジューリングは、中央送受信機によって実行され、送受信機は、ワイヤレス通信システムのサイドリンクリソースプールの（例えば、ＬＴＥ）Ｖ２Ｘモード３リソースプール上でデータパケットを伝送するように構成され、送受信機は、ワイヤレス通信システムのサイドリンクリソースプールの（例えば、ＬＴＥ）Ｖ２Ｘモード４リソースプール、共有リソースプール、非共有リソースプール、または例外リソースプール上で少なくとも１回データパケットを再送するように構成される。
【００３６】
実施形態では、送受信機は、ワイヤレス通信システムの中央送受信機（例えば、基地局）によってサービス提供され、送受信機は、ＮＲ  Ｖ２Ｘモード１で動作するように構成され、この場合、少なくとも１つの他の送受信機との通信のためのリソースのスケジューリングは、中央送受信機によって実行され、送受信機は、ワイヤレス通信システムのサイドリンクリソースプールのＮＲ  Ｖ２Ｘモード１リソースプール上でデータパケットを伝送するように構成され、送受信機は、ワイヤレス通信システムのサイドリンクリソースプールの同じまたは異なるモード１ＮＲ  Ｖ２Ｘリソースプール、同じまたは異なるモード３ＬＴＥ  Ｖ２Ｘリソースプール、ＬＴＥ  Ｖ２Ｘモード４リソースプール、共有リソースプール、非共有リソースプール、または例外リソースプール上で少なくとも１回データパケットを再送するように構成される。
【００３７】
実施形態では、送受信機は、ワイヤレス通信システムの中央送受信機（例えば、基地局）によってサービス提供され、送受信機は、Ｄ２Ｄモード１で動作するように構成され、少なくとも１つの他の送受信機との通信のためのリソースのスケジューリングは、中央送受信機によって実行され、送受信機は、ワイヤレス通信システムのサイドリンクリソースプールの同じまたは異なるＤ２Ｄモード１リソースプール上でデータパケットを伝送するように構成され、送受信機は、ワイヤレス通信システムのサイドリンクリソースプールのＤ２Ｄモード２リソースプール、共有リソースプール、非共有リソースプール、または例外リソースプール上で少なくとも１回データパケットを再送するように構成される。
【００３８】
実施形態では、送受信機は、（例えば、ＬＴＥ）Ｖ２Ｘモード４で動作するように構成され、送受信機は、サイドリンク通信のためのリソースを自律的にスケジューリングするように構成され、送受信機は、ワイヤレス通信システムのサイドリンクリソースプールの（例えば、ＬＴＥ）Ｖ２Ｘモード４リソースプール上でデータパケットを伝送するように構成され、送受信機は、ワイヤレス通信システムのサイドリンクリソースプールの（例えば、ＬＴＥ）Ｖ２Ｘモード３リソースプール、共有リソースプール、非共有リソースプール、または例外リソースプール上で少なくとも１回データパケットを再送するように構成される。
【００３９】
実施形態では、送受信機は、ＮＲ  Ｖ２Ｘモード２で動作するように構成され、送受信機は、サイドリンク通信のためのリソースを自律的にスケジューリングするように構成され、送受信機は、ワイヤレス通信システムのサイドリンクリソースプールのＮＲ  Ｖ２Ｘモード２リソースプール上でデータパケットを伝送するように構成され、送受信機は、ワイヤレス通信システムのサイドリンクリソースプールのＮＲ  Ｖ２Ｘモード２リソースプール、ＮＲ  Ｖ２Ｘモード１リソースプール、ＬＴＥ  Ｖ２Ｘモード４リソースプール、ＬＴＥ  Ｖ２Ｘモード３リソースプール、共有リソースプール、非共有リソースプール、または例外リソースプール上で少なくとも１回データパケットを再送するように構成される。
【００４０】
実施形態では、送受信機は、Ｄ２Ｄモード２で動作するように構成され、送受信機は、サイドリンク通信のためのリソースを自律的にスケジューリングするように構成され、送受信機は、ワイヤレス通信システムのサイドリンクリソースプールのＤ２Ｄモード２リソースプール上でデータパケットを伝送するように構成され、送受信機は、ワイヤレス通信システムのサイドリンクリソースプールのＤ２Ｄモード２リソースプール、Ｄ２Ｄモード１リソースプール、共有リソースプール、非共有リソースプール、または例外リソースプール上で少なくとも１回データパケットを再送するように構成される。
【００４１】
実施形態では、送受信機は、無線リンク障害（ＲＬＦ：Ｒａｄｉｏ  Ｌｉｎｋ  Ｆａｉｌｕｒｅ）／非センシング情報またはハンドオーバが利用可能である場合に、ワイヤレス通信システムのサイドリンクリソースプールの例外リソースプール上で前記データパケットを伝送するように構成され、さらにワイヤレス通信システムのサイドリンクリソースプールの以前に［例えば、ＲＬＦ／非センシング情報またはハンドオーバが利用可能になる前に］使用されたリソースプール上で前記データパケットを少なくとも１回再送するように構成される。
【００４２】
実施形態では、送受信機は、キャリアアグリゲーションの場合に、コンポーネントキャリア上で前記データパケットを伝送し、別のコンポーネントキャリア上で前記データパケットを少なくとも１回再送するように構成される。
【００４３】
さらなる実施形態は、ワイヤレス通信システム用の送受信機であって、ワイヤレス通信システムの少なくとも１つの他の送受信機と通信するように構成され、コンポーネントキャリア上のデータパケットをワイヤレス通信システムの他の送受信機に伝送するように構成され、前記データパケットまたは前記データパケットに含まれるデータに関連付けられたＰＰＰＲ値が高い信頼度を示す場合に、少なくとも１つの他のコンポーネントキャリア上で前記データパケットを少なくとも１回再送するように構成された、送受信機を提供する。
【００４４】
実施形態では、送受信機は、ＰＰＰＲ値が事前に定義された信頼度または閾値以上の信頼度を示す場合に、前記データパケットを少なくとも１回再送するように構成される。
【００４５】
実施形態では、送受信機は、ワイヤレス通信システムの中央送受信機（例えば、基地局）によってサービス提供され、送受信機は、ＬＴＥ  Ｖ２Ｘモード３、ＮＲ  Ｖ２Ｘモード１またはＤ２Ｄモード１で動作するように構成され、この場合、少なくとも１つの他の送受信機との通信のためのリソースのスケジューリングは、中央送受信機によって実行される。
【００４６】
実施形態では、送受信機は、ＬＴＥ  Ｖ２Ｘモード４、ＮＲ  Ｖ２Ｘモード２またはＤ２Ｄモード２で動作するように構成され、送受信機は、サイドリンク通信のためのリソースを自律的にスケジューリングするように構成される。
【００４７】
実施形態では、送受信機は、キャリアアグリゲーションを使用して動作するように構成される。
【００４８】
さらなる実施形態は、ワイヤレス通信システム用の送受信機であって、ワイヤレス通信システムのサイドリンクリソースプールを使用してワイヤレス通信システムの少なくとも１つの他の送受信機と通信するように構成され、ワイヤレス通信システムのサイドリンクリソースプールのうちの１つのサイドリンクリソースプール上のデータパケットをワイヤレス通信システムの他の送受信機に伝送するように構成され、前記データパケットまたは前記データパケットに含まれるデータに関連付けられたＰＰＰＲ値が高い信頼度を示す場合に、
―  ワイヤレス通信システムのサイドリンクリソースプールのうちの別のサイドリンクリソースプール上で、
―  または、キャリアアグリゲーションの場合に、別のコンポーネントキャリア上で、
―  または、ワイヤレス通信システムのサイドリンクリソースプールのうちの同じリソースプール上であるが、異なるキャリア上で、
前記データパケットを少なくとも１回再送するように構成された、送受信機を提供する。
【００４９】
実施形態では、送受信機は、ＰＰＰＲ値が事前に定義された信頼度または閾値以上の信頼度を示す場合に、前記データパケットを少なくとも１回再送するように構成される。
【００５０】
実施形態では、送受信機は、ワイヤレス通信システムの中央送受信機（例えば、基地局）によってサービス提供され、送受信機は、ＬＴＥ  Ｖ２Ｘモード３、ＮＲ  Ｖ２Ｘモード１またはＤ２Ｄモード１で動作するように構成され、この場合、少なくとも１つの他の送受信機との通信のためのリソースのスケジューリングは、中央送受信機によって実行される。
【００５１】
実施形態では、送受信機は、ＬＴＥ  Ｖ２Ｘモード４、ＮＲ  Ｖ２Ｘモード２またはＤ２Ｄモード２で動作するように構成され、送受信機は、サイドリンク通信のためのリソースを自律的にスケジューリングするように構成される。
【００５２】
さらなる実施形態は、ワイヤレス通信システムのサイドリンクリソースプール［例えば、モード３リソースプール、モード４リソースプール、共有リソースプール、非共有リソースプール、または例外リソースプール］を使用して互いに通信している少なくとも２つの送受信機間のワイヤレス通信システムにおいてデータパケットを伝送する方法を提供する。該方法は、ワイヤレス通信システムのサイドリンクリソースプールのうちの１つのサイドリンクリソースプール上のデータパケットをワイヤレス通信システムの他の送受信機に伝送するステップを含む。さらに、該方法は、前記データパケットまたは前記データパケットに含まれるデータに関連付けられたＰＰＰＲ値が［前記データパケットの］高い信頼度を示す場合に、ワイヤレス通信システムのサイドリンクリソースプールのうちの別のサイドリンクリソースプール上で前記データパケットを少なくとも１回再送するステップを含む。
【００５３】
さらなる実施形態は、互いに通信している少なくとも２つの送受信機間のワイヤレス通信システムにおいてデータパケットを伝送する方法を提供する。該方法は、コンポーネントキャリア上のデータパケットをワイヤレス通信システムの他の送受信機に伝送するステップを含む。さらに、該方法は、前記データパケットまたは前記データパケットに含まれるデータに関連付けられたＰＰＰＲ値が高い信頼度を示す場合に、少なくとも１つの他のコンポーネントキャリア上で前記データパケットを少なくとも１回再送するステップを含む。
【００５４】
さらなる実施形態は、ワイヤレス通信システムのサイドリンクリソースプールを使用して互いに通信している少なくとも２つの送受信機間のワイヤレス通信システムにおいてデータパケットを伝送する方法を提供する。該方法は、ワイヤレス通信システムのサイドリンクリソースプールのうちの１つのサイドリンクリソースプール上のデータパケットをワイヤレス通信システムの他の送受信機に伝送するステップを含む。さらに、該方法は、前記データパケットまたは前記データパケットに含まれるデータに関連付けられたＰＰＰＲ値が高い信頼度を示す場合に、
―  ワイヤレス通信システムのサイドリンクリソースプールのうちの別のサイドリンクリソースプール上で、
―  または、キャリアアグリゲーションの場合に、別のコンポーネントキャリア上で、
―  または、ワイヤレス通信システムのサイドリンクリソースプールのうちの同じリソースプール上であるが、異なるキャリア上で、
前記データパケットを少なくとも１回再送するステップを含む。
【００５５】
さらなる実施形態は、ＰＰＰＲを用いた共有リソースプール／非共有リソースプール／例外リソースプール上のパケット複製のための要求される信頼度を考慮した高優先度データ処理を提供する。
【００５６】
さらなる実施形態は、ネットワークスライシングのためにＰＰＰＲ情報を使用する。
【００５７】
さらなる実施形態は、ＰＰＰＲ値を使用して、現在のリソースプール（ＳＣＩ）に疑似データを追加することによって、連続するリソースプール内のリソース予約を可能にする。
【００５８】
リリース１３以降は、ＰｒｏＳｅパケット単位優先度（ＰＰＰＰ）がＶ２ＸにおけるＱｏＳを維持するために定義されている。アプリケーション層は、Ｖ２Ｘメッセージごとに優先度を設定し、これを下位層に渡す。次いで、ＭＡＣ層は論理チャネル優先順位付けを行い、優先度に基づいて論理チャネルをトランスポートチャネルにマッピングする。ＰＰＰＰは、ｅＮＢおよびＵＥの両方で必要とされるレイテンシを考慮に入れる。近年では、高度な使用事例の厳しい要件を維持し、サポートするために、ＰｒｏＳｅパケット単位信頼度（ＰＰＰＲ）が定義されている。ＰＰＰＲでは、９０％〜９９．９９９％の定義された要件を満たすために、信頼度が考慮され得る。
【００５９】
実施形態は、以下を含む。
・伝送プールを使用して、ＰＰＰＲ情報を考慮してパケットを複製する。
・（例えば、ＬＴＥ  Ｖ２Ｘ）モード３ベースのＵＥの場合、ＰＰＰＲ情報は、リソース予約のためにＵＥによってｅＮＢに提供され得る。
・（例えば、ＬＴＥ  Ｖ２Ｘ）モード４ベースのＵＥの場合、ＵＥは、リソースを割り当てるためのセンシング、またはＰＰＰＲまたはＰＰＰＲおよびＣＢＲの任意の組み合わせに従ったグラントフリーアクセスのいずれかを行うことができる。
・次いで、低いＰＰＰＲ（すなわち、高い信頼度を要求する）を有するパケットは、共有リソースプール上で、または同じモードであるが異なるキャリア上で（ＵＥがＣＡをサポートしている場合）、複製され得る。
・ハンドオーバもしくはリソース再選択の間または通常動作の間（許容される場合）、低いＰＰＰＲ値および／または低いＰＰＰＰ値のメッセージが発生した場合（高い信頼度および低いレイテンシを要求する場合）、パケット複製および最後の（事前に）構成されたリソースプールのために例外プールが使用され得る。
・各々のネットワークスライスに対するマッピングはそれぞれ、ＰＰＰＰ値および／またはＰＰＰＲ値に対する定義されたレイテンシおよび／または信頼度を要求する。このようにして、ＲＡＮは、個々のネットワークスライスの要求されるレイテンシおよび信頼度を保証するために、最良のフィッティング処理を保証し得る。
・現在のリソースプールに疑似データを追加することによって、連続するリソースプール内で高い信頼度要求（すなわち、低いＰＰＰＲ値）に限定されたリソース予約を可能にする。
【００６０】
実施形態は、
・層２および層３の両方において、ＰＰＰＲに基づく新しいスキームを使用することによって既存のＱｏＳを向上させるためのメカニズムを提供する。
【００６１】
実施形態は、以下のことに寄与する。
・要求される信頼度を保証するために、ＰＰＰＲに基づく新しいアプローチを使用してＲＡＮ内のＱｏＳを向上させること。
・Ｖ２Ｘにおけるパケット複製を支援するための優先度スキームの使用。
・モード３用リソースプールとモード４用リソースプールと間のパケット共有を評価するためのＰＰＰＲ／ＰＰＰＰの使用、すなわち、
・ＰＰＰＲ閾値に達した場合に、共有リソース上でパケット複製を実行する
・ＰＰＰＰ閾値に達した場合、選択されたプール上で異なるパケットを伝送する
・スライス固有レイテンシおよび信頼度の要件をＰＰＰＰおよびＰＰＰＲにそれぞれマッピングすることによってネットワークスライスのＱｏＳを向上させ、これらの要件を満たすためにＲＡＮ内の最も適切な処理を保証すること。
【００６２】
本発明の実施形態は、本明細書において添付図面を参照しながら説明されている。
【図面の簡単な説明】
【００６３】
【図１】ワイヤレス通信システムの一例の概略図である。
【図２】マクロセル１０６１を含むマクロセルネットワークとスモールセルネットワークとを含む２つの別個のオーバーレイネットワークを有する、図１のセル１０６１のようなセルの概略図である。
【図３】互いに直接通信している２つのＵＥが基地局のカバレッジ内にある状況を示す概略図である。
【図４】互いに直接通信しているＵＥが基地局のカバレッジ内にない、すなわち、基地局に接続されていないシナリオを示す図である。
【図５ａ】本発明の一実施形態に係る、ワイヤレス通信ネットワーク用の送受信機の概略ブロック図である。
【図５ｂ】最も高い信頼度（最も低いＰＰＰＲ）を有するパケット１（Ｐ１）のための複製スキームの一例を示す概略図である。
【図６】パケット複製を決定するための入力の概略図である。
【図７】ＲＡＢ優先処理のためのＰＰＰＰ／ＰＰＰＲへのネットワークスライスのマッピングの概略図である。
【図８】本発明の一実施形態に従う、サイドリンクリソースプールを使用して互いに通信している少なくとも２つの送受信機間のワイヤレス通信システムにおいてデータパケットを伝送する方法のフローチャートである。
【図９】本発明のさらなる実施形態に従う、サイドリンクリソースプールを使用して互いに通信している少なくとも２つの送受信機間のワイヤレス通信システムにおいてデータパケットを伝送する方法のフローチャートである。
【図１０】本発明のさらなる実施形態に従う、サイドリンクリソースプールを使用して互いに通信している少なくとも２つの送受信機間のワイヤレス通信システムにおいてデータパケットを伝送する方法のフローチャートである。
【図１１】本発明のアプローチに従って記載されているユニットまたはモジュールならびに方法ステップが実行され得るコンピュータシステムの一例を示す図である。
【発明を実施するための形態】
【００６４】
同じもしくは同等の要素、または同じもしくは同等の機能性を有する要素は、以下の説明において、同じしくは同等の参照符号で示されている。
【００６５】
以下の説明では、本発明の実施形態をより十分に説明するために、複数の詳細が記載されている。しかしながら、本発明の実施形態がこれらの具体的な詳細なしに実施され得ることは当業者には明らかであろう。他の例では、周知の構造およびデバイスは、本発明の実施形態を不明瞭にするのを避けるために、詳細にではなく、ブロック図の形式で示されている。また、以下で説明する異なる実施形態の特徴は、特に断りのない限り、互いに組み合わせられ得る。
【００６６】
図５ａは、本発明の一実施形態に係る、ワイヤレス通信システム１００の送受信機１０９１（例えば、デバイスまたは車両のＵＥ）の概略ブロック図である。送受信機１０９１は、ワイヤレス通信システム１００のサイドリンクリソースプールを使用してワイヤレス通信システム１００の少なくとも１つの他の送受信機１０９２と通信する（１１１１２）ように構成される。
【００６７】
それに関して、送受信機１０９１は、ワイヤレス通信システム１００のサイドリンクリソースプールのうちの１つのサイドリンクリソースプール上のデータパケットをワイヤレス通信システム１００の他の送受信機１０９２に伝送するように構成され、送受信機１０９１は、前記データパケットまたは前記データパケットに含まれるデータに関連付けられたＰＰＰＲ値が高い信頼度を示す場合に、
―  ワイヤレス通信システム１００のサイドリンクリソースプールのうちの別のサイドリンクリソースプール上で、
―または、ワイヤレス通信システムのサイドリンクリソースプールのうちの同じリソースプール上であるが、異なるキャリア上で、
前記データパケットを少なくとも１回再送するように構成され得る。
【００６８】
キャリアアグリゲーション（ＣＡ）の場合、送受信機１０９１はさらに（たとえば、代替的にまたは追加的に）コンポーネントキャリア（例えば、第１のコンポーネントキャリア）上のデータパケットをワイヤレス通信システム１００の他の送受信機１０９２に伝送するように構成され得、送受信機は、前記データパケットまたは前記データパケットに含まれるデータに関連付けられたＰＰＰＲ値が高い信頼度を示す場合に、少なくとも１つの他のコンポーネントキャリア（例えば、第１のコンポーネントキャリアとは異なる第２のコンポーネントキャリア）上で前記データパケットを少なくとも１回再送するように構成され得る。
【００６９】
実施形態では、送受信機１０９１は、ＰＰＰＲ値が事前に定義された信頼度または閾値以上の信頼度（または優先度）を示す場合に、前記データパケットを少なくとも１回再送するように構成され得る。
【００７０】
いくつかの通信規格では、１のＰＰＰＲ値は最も高い信頼度（または優先度）を示し、８のＰＰＰＲ値は最も低い優先度を示し得ることに留意されたい。
【００７１】
この場合、送受信機１０９１は、ＰＰＰＲ値が、例えば、４（または３、または２、または１）のような事前に定義された信頼度または閾値以下である場合に、前記データパケットを少なくとも１回再送するように構成され得る。当然のことながら、事前に定義された他の信頼度値または閾値も、利用される通信規格に応じて適用され得る。
【００７２】
例えば、３ＧＰＰ  Ｔ２３．２８５．の場合、事前に定義された信頼度値または閾値は、１〜８であり得る。
【００７３】
例として図５ａに示されているように、通信システム１００は、任意選択的に、ｇＮＢまたはｅＮＢのような基地局を含み得る。それに関して、送受信機１０９１および、例えば、さらに他の送受信機１０９２も、送受信機１０９１、１０９２が基地局のカバレッジ内にあるときに、基地局と通信する１１１１、１１１２ように構成され得る。送受信機１０９１、１０９２（または送受信機１０９１、１０９２の少なくとも一方）はさらに、基地局のカバレッジ外にあり得る。いずれの場合も、すなわち、カバレッジ内モードおよびカバレッジ外モードでは、送受信機１０９１は、例えば、ワイヤレス通信システムのサイドリンクリソースプールを使用して、ワイヤレス通信システム１００の他の送受信機１０９２と直接通信（＝サイドリンク通信）するように構成され得る。
【００７４】
利用されるワイヤレス通信規格に応じて、カバレッジ内モードは、ＬＴＥ  Ｖ２Ｘモード３またはＮＲ  Ｖ２Ｘモード１またはＤ２Ｄモード１と呼ばれ、カバレッジ外モードは、Ｖ２Ｘモード４またはＮＲ  Ｖ２Ｘモード２またはＤ２Ｄモード２と呼ばれることもある。
【００７５】
続いて、送受信機１０９１の実施形態をさらに詳細に説明する。それに関して、以下の説明では、対応するカバレッジ内モードおよびカバレッジ外モードにおける送受信機１０９１の機能性を説明するために、カバレッジ内モードおよびカバレッジ外モードがそれぞれＬＴＥ  Ｖ２Ｘモード３およびＬＴＥ  Ｖ２Ｘモード４と呼ばれる通信規格について言及する。当然のことながら、以下の説明は、カバレッジ内モードおよびカバレッジ外モードが、例えば、ＮＲ  Ｖ２Ｘモード１およびＮＲ  Ｖ２Ｘモード２、またはＤ２Ｄモード１およびＤ２Ｄモード２とそれぞれ呼ばれる他のワイヤレス通信規格にも当てはまる。
【００７６】
このアイデアは、特に、信頼性の高いデータ伝送を要求するＶ２Ｘサービスに関連している。高い信頼度は、新たに導入されたＰＰＰＲで示される。
【００７７】
現在のところ、ＰＰＰＲ値の範囲、または要求される信頼度に対するＰＰＰＲ値のマッピングのいずれも、最終的に定義されていない。所与の説明のＰＰＰＰについて同じ設定が適用され得ると仮定する。しかしながら、最終ＰＰＰＲ定義が異なる場合、説明は、最終定義を使用して読み取られる必要がある。
【００７８】
したがって、ＰＰＰＲ（ＰＰＰＰに基づく）は、１〜８の範囲であり、１は最も高い信頼度を示し、８は最も低い信頼度を示している。
【００７９】
信頼度を向上させるための最も一般的なアプローチは、パケット複製であり、これは、Ｖ２Ｘのために既に定義されている。しかしながら、ＰＰＰＲの解釈方法ならびにＰＰＰＲに基づくパケット複製のためのスキームについてのアイデアは、以下に示すように、容易には定義されず、したがって、発明されない。
実施形態１
【００８０】
実施形態は、ＰＰＰＲを用いた共有リソースプール／非共有リソースプール／例外リソースプール上のパケット複製のための要求される信頼度を考慮した高優先度データ処理を提供する。
【００８１】
現在継続中のリリース１５において、Ｖ２Ｘ仕様の１つの主要なトピックは、モード３とモード４との間のリソースプール共有の定義である。最後のＲＡＮ２＃１０１会議では、モード３のＵＥはモード４のＵＥのリソースプールを共有することが可能であることが合意された。モード３のＵＥの必須条件は、モード４のＵＥのデータ伝送を妨害するリスクを低減するためのデータ伝送前のモード４リソースプールのセンシングである。
【００８２】
図５ｂは、最も高い信頼度（最も低いＰＰＰＲ）を有するパケット１（Ｐ１）のための複製スキームの一例の概略図を示す。
【００８３】
具体的には、図５ｂは、ワイヤレス通信システムのサイドリンクリソースプール３０２１上のデータパケット３００の伝送を示す図であり、データパケット３００は、ワイヤレス通信システムの別のリソースプール３０２２上で再送される。それに関して、縦軸は周波数を示し、横軸は時間を示している。図５ｂに示されているように、データパケット３００は、他のリソースプール３０２２上で１回または２回再送され得る。データパケットの再送は、図５ｂにおいて、参照番号３００（１）、３００（２）で示されている。
【００８４】
図５ｂに示されているように、実施形態は、ＰＰＰＲで示される高い信頼度を要求するＶ２Ｘサービスに対するパケット複製３００（２）、３００（３）のための共有リソースプールを使用する。
【００８５】
サイドリンク上のＶ２Ｘデータ伝送に対して高い信頼度が示されている場合、複製されたパケット３００（２）、３００（３）は、共有リソースプールまたは任意のタイプの非共有リソースプール上で伝送され得る。
【００８６】
具体的には、このアイデアは、リソースプール使用のために、以下を含む。
（１）モード３のＵＥ１０９１および高い信頼度（ＰＰＰＲで示される）の場合、モード３のＵＥ１０９１は、図５ｂのリソースプール１（３０２１）（例えば、モード３リソースプール）上のデータ３００、さらに図５ｂのリソースプール２（３０２２）（例えば、共有リソースプール）上の複製パケット３００（２）または３００（３）を伝送することができる。
（２）モード４のＵＥ１０９１および高い信頼度（ＰＰＰＲで示される）の場合、モード４のＵＥ１０９１は、図５ｂのリソースプール１（３０２１）（例えば、モード４リソースプール）上のデータ３００、さらに図５ｂのリソースプール２（３０２２）（例えば、共有リソースプール）上の複製パケット３００（１）または３００（２）を伝送することができる。
（３）モード３またはモード４のいずれかにおいて、ＲＬＦ／非センシング情報が利用可能である、またはハンドオーバの場合に、高い信頼度指標（ＰＰＰＲで示される）閾値がトリガされた後、ＵＥ１０９１は、レガシー例外リソースプール（例えば、図５ｂのリソースプール１（３０２１））上で伝送されるリソースを（事前に）構成されたリソースまたは最後に使用されたリソース（例えば、図５ｂのリソースプール２（３０２２））上で複製することを選択する。
（４）モード３またはモード４のいずれかにおいて、キャリアアグリゲーション（ＣＡ）の場合に、高い信頼度指標（ＰＰＰＲで示される）閾値がトリガされた後、ＵＥ１０９１は、キャリアアグリゲーションが可能である場合、かつキャリアアグリゲーションが可能である場合のみ、コンポーネントキャリア＃ｉ（ＣＣ−ｉ）（例えば、図５ｂのリソースプール１（３０２１））上で伝送されるリソースを別のＣＣ−ｉｉ（例えば、図５ｂのリソースプール２（３０２２））またはそれより多くのＣＣおよびそれより多くのプール上で複製するように選択する。
（５）複製されたデータパケット（複数を含む）３００（１）、２００（２）は、
・共有リソースプール上で、
・例外プール上で、
・関連付けられたモード３／４のリソースプール上で、または
・共有リソースプール、関連付けられたモード３もしくは４のリソースプール、および／または例外リソースプールの任意の組み合わせのリソースプール上で、
１回または複数回伝送され得る。
【００８７】
以下の表は、図５ｂのリソースプール１、２の全ての可能なシナリオを記載している。
【表１】
2021518717.tif 000003
【００８８】
図６は、パケット複製を決定するための入力の概略図である。
【００８９】
具体的には、このアイデアは、パケット複製スキームに関して、
（１）複製された複数の伝送３００（２）、３００（３）の決定は、（要求された信頼度を表す）ＰＰＰＲ値に依存し、さらにチャネル負荷（図６）を考慮する場合がある。チャネル負荷は、ＳＬ−ＣＢＲ（ＳＬ−ＣＢＲ＝サイドリンクチャネルビジー率）から推定され得る。
（２）ＰＰＰＰおよびＳＬ−ＣＢＲの両方が考慮される場合、パケット複製決定は、以下の通りであり得る。
【数１】
2021518717.tif 000004
（３）任意選択で、ＰＰＰＲまたはＳＬ−ＣＢＲとＰＰＰＲとの組み合わせに応じて、乗算係数が選択されて、乗算係数で表される数だけ複数回、同じパケット３００、３００（２）、３００（３）を伝送し得る。
（４）パケット３００が２回以上伝送される場合、次のパケット伝送３００（２）、３００（３）のための周期的伝送、またはパケット伝送のためのランダムバースト（図５ｂ）を使用して、固定オフセットが存在し得る。
（５）複製されたパケット３００（２）、３００（３）は、以下のいずれかで、共有プール上で送信され得る。
・「元の」パケット３００と同じ期間（これは、センシングがまだ実行されていないことがあることを意味する）。これは、低レイテンシが、例えば低いＰＰＰＰで示され場合に、適用可能であり得る。
・定義されたオフセットまたはランダムなオフセットによって、現在リソースプールまたは次のセカンダリリソースプールでは保留状態。
・連続するセカンダリリソースプールのうちの１つにおいて（これは、低レイテンシが必要とされない場合に適用され得る）。これは、センシングメカニズムの使用を保証して、他のＵＥ１０９２のデータ伝送を妨害するのを回避することができる（ひいては、データ伝送の成功の確率を高める）。
（６）ＰＰＰＲまたはＰＰＰＲ／ＳＬ−ＣＢＲの組み合わせに基づいてパケット複製／乗算を決定する方法は、ハードコードされるか、または構成可能であるかのいずれかであり得る。構成可能な閾値に基づくマッピングの一例が、このリストに記載されている（項目２を参照）。さらに、ＳＬ−ＣＢＲ−ＰＰＰＲテーブルは、［２］（パケット複製を実行すべきかどうかを識別するためのＰＰＰＰのためのＳＬ−ＣＢＲ−ＰＰＰＰ−ＴｘＣｏｎｆｉｇＬｉｓｔ情報要素と同様である）を適用し得る。このリストを使用して、パケットをどの程度の頻度で伝送すべきかの情報も導出され得る。ＰＰＰＲ値のパケット複製へのマッピングを行うために、自由に構成可能なテーブルまたは事前に定義されたテーブルまたはハードコードされたテーブルが使用され得る。注：モード３において、パケット複製は、基地局によって、例えば、ＲＲＣ信号もしくはＭＡＣ  ＣＥ（制御要素）のいずれか、またはそれらの両方を使用して制御される。
実施形態２
【００９０】
実施形態では、ＰＰＰＲ情報は、ネットワークスライシングのために使用される。
【００９１】
リリース１５以降、ネットワークスライシングの新しい概念もＲＡＮに適用されている。
【００９２】
図７は、ＲＡＢ（無線アクセスベアラ）優先処理のためのＰＰＰＰ／ＰＰＰＲへのネットワークスライスのマッピングの概略図である。
【００９３】
各ネットワークスライスは、典型的には、例えば、定義されたパラメータセットを有するモバイルブロードバンドまたはＶ２Ｘのようなサービスを表す。ＲＡＮにおけるネットワークスライスの詳細な処理は、まだ定義されていない。
【００９４】
各ネットワークスライスに対して要求されるレイテンシおよび信頼度を保証するために、要求されるレイテンシ／信頼度は、ネットワークスライスごとに、ＰＰＰＰおよびＰＰＰＲ値にマッピングされ得る。
【００９５】
これは、少なくとも任意のＶ２Ｘ関連サービススライスに対して適用され得るが、これに限定されない場合がある。
【００９６】
ＰＰＰＰのための既に定義されたメカニズムおよび（実施形態１、２で提案されるような）ＰＰＰＲのための新しいスキーム、または２つのスキームの任意の組み合わせのいずれかを使用して、各ネットワークスライスは、要求される信頼度およびレイテンシを確実に満たすように、ＲＡＮ内で処理され得る。
【００９７】
各ネットワークスライスをＰＰＰＰおよび／またはＰＰＰＲにマッピングする方法は、ハードコードされるか、構成可能であるかのいずれかであり得る。
・このマッピングを行うために、自由に構成可能なテーブルまたは事前に定義されたテーブルまたはハードコードされたテーブルのいずれかが使用され得る。
・または、サービススライス単位の定義されたレイテンシ／信頼度に対して最良のフィッティングＰＰＰＰおよび／またはＰＰＰＲにマッピングするために、閾値が使用され得る。
実施形態３
【００９８】
実施形態では、ＰＰＰＲ値は、現在のリソースプール（ＳＣＩ）に疑似データを追加することによって、連続するリソースプールにおけるリソース予約を可能にするために使用される。
【００９９】
パケット複製に加えて、高い信頼度（低いＰＰＰＲで示される）も、次のリソースプール内のモード４のＵＥのリソース予約によって保証され得る。
【０１００】
このアイデアは、ここでは、（共有のためにモード４リソースプールを利用しようとする）センシングモード３のＵＥおよび他のモード４のＵＥのためのリソースプール使用を示すために、モード４リソースプール（例えば、ＳＣＩ）に疑似データを追加するというものである。
【０１０１】
結果として、センシングＵＥは、連続するモード４リソースプールにおいてデータを伝送しないことになる。したがって、モード４のＵＥが（例えば、ＳＣＩに）擬似データを追加することは、連続するリソースプールにおけるクリティカルな（信頼性の高い）リソースプールであるための信頼度を向上させる、すなわち、データ伝送の成功の確率を高めて、他のモード３のＵＥまたはモード４のＵＥからのデータパケットとの衝突を回避することになる。
【０１０２】
しかしながら、メカニズムは、リソースの浪費を回避するために、定義されたデータの伝送（例えば、緊急の場合に、測位またはさらなる重要な詳細）を必要とする、非常に高い信頼度要求サービス（低いＰＰＰＲ）に大きく制限され得る。
【０１０３】
本明細書に記載されている実施形態は、例えば、Ｖ２Ｘ、Ｄ２Ｄ、ｍＭＴＣ、ＵＲＬＬＣ、およびクリティカル通信において実装され得る。
【０１０４】
図８は、ワイヤレス通信システムのサイドリンクリソースプール（例えば、モード３リソースプール、モード４リソースプール、共有リソースプール、非共有リソースプール、または例外リソースプール）を使用して互いに通信している少なくとも２つの送受信機間のワイヤレス通信システムにおいてデータパケットを伝送する方法４００のフローチャートである。方法４００は、ワイヤレス通信システムのサイドリンクリソースプールのうちの１つのサイドリンクリソースプール上のデータパケットをワイヤレス通信システムの他の送受信機に伝送するステップ４０２を含む。さらに、方法４００は、前記データパケットまたは前記データパケットに含まれるデータに関連付けられたＰＰＰＲ値が［前記データパケットの］高い信頼度を示す場合に、ワイヤレス通信システムのサイドリンクリソースプールのうちの別のサイドリンクリソースプール上で前記データパケットを少なくとも１回再送するステップ４０４を含む。
【０１０５】
図９は、互いに通信している少なくとも２つの送受信機間のワイヤレス通信システムにおいてデータパケットを伝送する方法４１０のフローチャートである。方法４１０は、コンポーネントキャリア上のデータパケットをワイヤレス通信システムの他の送受信機に伝送するステップ４１２を含む。さらに、方法４１０は、前記データパケットまたは前記データパケットに含まれるデータに関連付けられたＰＰＰＲ値が高い信頼度を示す場合に、少なくとも１つの他のコンポーネントキャリア上で前記データパケットを少なくとも１回再送するステップ４１４を含む。
【０１０６】
図１０は、ワイヤレス通信システムのサイドリンクリソースプールを使用して互いに通信している少なくとも２つの送受信機間のワイヤレス通信システムにおいてデータパケットを伝送する方法４２０のフローチャートである。方法４２０は、ワイヤレス通信システムのサイドリンクリソースプールのうちの１つのサイドリンクリソースプール上のデータパケットをワイヤレス通信システムの他の送受信機に伝送するステップ４２２を含む。さらに、方法４２０は、前記データパケットまたは前記データパケットに含まれるデータに関連付けられたＰＰＰＲ値が高い信頼度を示す場合に、
―  ワイヤレス通信システムのサイドリンクリソースプールのうちの別のサイドリンクリソースプール上で、
―  または、キャリアアグリゲーションの場合に、別のコンポーネントキャリア上で、
―  または、ワイヤレス通信システムのサイドリンクリソースプールのうちの同じリソースプール上であるが、異なるキャリア上で、
前記データパケットを少なくとも１回再送するステップ４２４を含む。
【０１０７】
記載されている概念のいくつかの態様は装置の観点から説明されているが、これらの態様はさらに、対応する方法の説明を表すことは明らかであり、ブロックまたはデバイスは、方法ステップまたは方法ステップの特徴に対応する。同様に、方法ステップの観点から説明されている態様も、対応する装置の対応するブロックまたはアイテムまたは特徴の説明を表す。
【０１０８】
本発明の様々な要素および特徴は、アナログ回路および／またはデジタル回路を使用するハードウェアに、ソフトウェアに、１つまたは複数の汎用プロセッサもしくは専用プロセッサによる命令の実行によって、またはハードウェアおよびソフトウェアの組み合わせとして、実装され得る。例えば、本発明の実施形態は、コンピュータシステムまたは別の処理システムの環境において実装され得る。図１１は、コンピュータシステム３５０の一例を示す。ユニットまたはモジュール、ならびにこれらのユニットによって実行される方法のステップは、１つまたは複数のコンピュータシステム３５０上で実行され得る。コンピュータシステム３５０は、専用または汎用デジタル信号プロセッサのような１つまたは複数のプロセッサ３５２を含む。プロセッサ３５２は、バスまたはネットワークのような通信インフラ３５４に接続される。コンピュータシステム３５０は、メインメモリ３５６（例えば、ランダムアクセスメモリ（ＲＡＭ）、および二次メモリ３５８（例えば、ハードディスクドライブおよび／または取り外し可能なストレージドライブ）を含む。二次メモリ３５８により、コンピュータプログラムまたは他の命令をコンピュータシステム３５０にロードすることが可能になる。コンピュータシステム３５０は、ソフトウェアおよびデータをコンピュータシステム３５０と外部デバイスとの間で転送することができるように通信インターフェース３６０をさらに含み得る。通信は、電子信号、電磁信号、光信号、または通信インターフェースによって処理可能な他の信号の形態であり得る。通信は、電線もしくはケーブル、光ファイバ、電話回線、携帯電話リンク、ＲＦリンク、および他の通信チャネル３６２を使用し得る。
【０１０９】
「コンピュータプログラム媒体」および「コンピュータ可読媒体」という用語は、一般に、取り外し可能なストレージ装置またはハードディスクドライブにインストールされたハードディスクのような有形の記憶媒体を表すのに使用される。これらのコンピュータプログラム製品は、コンピュータシステム３５０にソフトウェアを提供するための手段である。コンピュータ制御ロジックとも呼ばれるコンピュータプログラムは、メインメモリ３５６および／または二次メモリ３５８に記憶される。コンピュータプログラムはさらに、通信インターフェース３６０を介して受信され得る。コンピュータプログラムは、実行されると、コンピュータシステム３５０が本発明を実施することを可能にする。特に、コンピュータプログラムは、実行されると、プロセッサ３５２が本明細書に記載されている方法のいずれかのような本発明のプロセスを実施することを可能にする。したがって、このようなコンピュータプログラムは、コンピュータシステム３５０のコントローラを表すことができる。ソフトウェアを使用して本開示が実装される場合、ソフトウェアは、コンピュータプログラム製品に記憶され、取り外し可能なストレージドライブ、通信インターフェース３６０のようなインターフェースを使用してコンピュータシステム３５０にロードされ得る。
【０１１０】
ハードウェアまたはソフトウェアへの実装は、それぞれの方法が実行されるようにプログラム可能なコンピュータシステムと協働する（または協働することができる）電子的に読み取り可能な制御信号が記憶されたデジタル記憶媒体（例えばクラウドストレージ、フロッピーディスク、ＤＶＤ、Ｂｌｕｅ−Ｒａｙ、ＣＤ、ＲＯＭ、ＰＲＯＭ、ＥＰＲＯＭ、ＥＥＰＲＯＭまたはＦＬＡＳＨメモリ）を使用して実施され得る。したがって、デジタル記憶媒体は、コンピュータ可読媒体であり得る。
【０１１１】
本発明に従ういくつかの実施形態は、本明細書に記載されている方法のうちの１つが実行されるように、プログラム可能なコンピュータシステムと協働することができる電子的に読み取り可能な制御信号を有するデータキャリアを含む。
【０１１２】
一般に、本発明の実施形態は、プログラムコードを有するコンピュータプログラム製品として実装されてもよく、プログラムコードは、コンピュータプログラム製品がコンピュータ上で実行されるときに、該方法のうちの１つを実行するように動作する。プログラムコードは、例えば、機械可読キャリア上に記憶され得る。
【０１１３】
他の実施形態は、機械可読キャリア上に記憶された、本明細書に記載されている方法のうちの１つを実行するためのコンピュータプログラムを含む。換言すれば、本発明の方法の一実施形態は、コンピュータプログラムがコンピュータ上で実行されたときに、本明細書に記載されている方法のうちの１つを実行するためのプログラムコードを有するコンピュータプログラムである。
【０１１４】
したがって、本発明の方法のさらなる実施形態は、本明細書に記載されている方法のうちの１つを実行するためのコンピュータプログラムが記録されたデータキャリア（またはデジタル記憶媒体もしくはコンピュータ可読媒体）である。したがって、本発明の方法のさらなる実施形態は、本明細書に記載されている方法のうちの１つを実行するためのコンピュータプログラムを表すデータストリームまたは信号シーケンスである。データストリームまたは信号シーケンスは、例えば、データ通信接続（例えば、インターネット）を介して転送されるように構成され得る。さらなる実施形態は、本明細書に記載されている方法のうちの１つを実行するように構成された、または適合された処理手段（例えば、コンピュータ、またはプログラマブルロジックデバイス）を備える。さらなる実施形態は、本明細書に記載されている方法のうちの１つを実行するためのコンピュータプログラムがインストールされたコンピュータを備える。
【０１１５】
いくつかの実施形態では、プログラマブルロジックデバイス（例えば、フィールドプログラマブルゲートアレイ）が、本明細書に記載されている方法の機能性の一部または全てを実行するために使用され得る。いくつかの実施形態では、フィールドプログラマブルゲートアレイは、本明細書に記載されている方法のうちの１つを実行するために、マイクロプロセッサと協働し得る。一般に、該方法は、好ましくは、任意のハードウェア装置によって実行される。
【０１１６】
上述の実施形態は、本発明の原理を示す一例に過ぎない。本明細書に記載されている構成および詳細の修正形態および変形形態は、当業者には明らかであることを理解されたい。したがって、以下の特許請求の範囲によってのみ制限され、本明細書内の実施形態の記述および説明として提示された具体的詳細によって限定されないものとする。
参照リスト
［１］３ＧＰＰ  ＴＳ３６．２１３  進化型ユニバーサル地上無線アクセス（Ｅ−ＵＴＲＡ）；物理層手順；Ｖ１４．５．０
［２］３ＧＰＰ  ＴＳ３６．３３１  進化型ユニバーサル地上無線アクセス（Ｅ−ＵＴＲＡ）―無線リソース制御（ＲＲＣ）：Ｖ１４
［３］３ＧＰＰ  ＴＳ３６．２１１  進化型ユニバーサル地上無線アクセス（Ｅ−ＵＴＲＡ）；物理チャネルおよび変調、ｖ１４．３．０
［４］３ＧＰＰ  ＴＳ３６．２１２  進化型ユニバーサル地上無線アクセス（Ｅ−ＵＴＲＡ）；多重化およびチャネル符号化、ｖ１４．３．０
［５］３ＧＰＰ  ＴＳ３６．３２１  進化型ユニバーサル地上無線アクセス（Ｅ−ＵＴＲＡ）；媒体アクセス制御（ＭＡＣ）プロトコル仕様、ｖ１４．３．０
［６］ＥＰ３２７３６３４（Ａ１）  Ｖ２Ｘ伝送のサービス品質のサポートの改善
［７］ＴＤｏＣ  Ｒ２−１８ｘｘｘｘ：２０１８年４月、ＷＧ２＃１０１Ｂｉｓ会議のために計画された、［１０１＃３４］［ＬＴＥ／５ＧＣ］スライシングに関する電子メール考察レポート（継続中）
［８］３ＧＰＰ  ＴＲ２３．２８５  Ｖ２Ｘサービスのためのアーキテクチャ拡張；Ｖ１５．１．０
［９］３ＧＰＰ  ＴＳ３６．３００  パケットデータコンバージェンスプロトコル（ＰＤＣＰ）仕様；Ｖ１５．３．０
［１０］ＴＤｏｃ  Ｒ２−１８ｘｘｘｘ：２０１８年４月、ＷＧ２＃１０１Ｂｉｓ会議のために計画された、［１０１＃７２］［ＬＴＥ／Ｖ２Ｘ］パケット複製からのドラフトレポート（継続中）
［１１］３ＧＰＰ  ＴＳ３６．３２３  パケットデータコンバージェンスプロトコル（ＰＤＣＰ）仕様；Ｖ１５．１．０
［１２］３ＧＰＰ  ＴＳ３６．３２１  媒体アクセス制御（ＭＡＣ）プロトコル仕様、ｖ１５．３．０
［１３］３ＧＰＰ  ＴＳ３８．８８５  ＮＲ  Ｖｅｈｉｃｌｅ−ｔｏ−Ｅｖｅｒｙｔｈｉｎｇ（Ｖ２Ｘ）、Ｖ２．０．０に関する研究
［１４］３ＧＰＰ  ＴＳ２３．５０１  ５Ｇシステム用システムアーキテクチャ（５ＧＳ）
［１５］３ＧＰＰ  ＴＲ２３．７８６  高度Ｖ２Ｘサービスをサポートするための進化型パケットシステム（ＥＰＳ）および５Ｇシステム（５ＧＳ）のためのアーキテクチャ拡張に関する研究
［１６］３ＧＰＰ  ＴＳ２３．２８７  Ｖｅｈｉｃｌｅ−ｔｏ−Ｅｖｅｒｙｔｈｉｎｇ（Ｖ２Ｘ）サービスをサポートするための５Ｇシステム（５ＧＳ）のためのアーキテクチャ拡張
略語のリスト
ＢＳ  基地局
ＣＢＲ  チャネルビジー率
Ｄ２Ｄ  デバイス間
ＥＮ  緊急通報
ＥＰ  例外プール
ｅＮＢ  進化型ノードＢ（基地局）
ｇＮＢ  次世代ノードＢ（基地局）
ＦＤＭ  周波数分割多重化
ＬＴＥ  ロングタームエボリューション
ＰＣ５  Ｄ２Ｄ通信のためのサイドリンクチャネルを使用するインターフェース
ＰＰＰＰ  ＰｒｏＳｅパケット単位優先度
ＰＰＰＲ  ＰｒｏＳｅパケット単位信頼度
ＰＲＢ  物理リソースブロック
ＰｒｏＳｅ  近接サービス
ＲＡ  リソース割り当て
ＳＣＩ  サイドリンク制御情報
ＳＬ  サイドリンク
ｓＴＴＩ  短い伝送時間間隔
ＴＤＭ  時分割多重化
ＴＤＭＡ  時分割多元接続
ＵＥ  ユーザエンティティ（ユーザ端末またはユーザ機器）
ＵＲＬＬＣ  超高信頼性低レイテンシ通信
Ｖ２Ｖ  車両間
Ｖ２Ｉ  車両とインフラ間
Ｖ２Ｐ  車両と歩行者間
Ｖ２Ｎ  車両とネットワーク間
Ｖ２Ｘ  車両とあらゆるモノ間、すなわち、Ｖ２Ｖ、Ｖ２Ｉ、Ｖ２Ｐ、Ｖ２Ｎ
【図１】
2021518717.tif 000005
【図２】
2021518717.tif 000006
【図３】
2021518717.tif 000007
【図４】
2021518717.tif 000008
【図５ａ】
2021518717.tif 000009
【図５ｂ】
2021518717.tif 000010
【図６】
2021518717.tif 000011
【図７】
2021518717.tif 000012
【図８】
2021518717.tif 000013
【図９】
2021518717.tif 000014
【図１０】
2021518717.tif 000015
【図１１】
2021518717.tif 000016
【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
ワイヤレス通信システム（１００）用の送受信機（１０９１）であって、
前記送受信機（１０９１）は、前記ワイヤレス通信システム（１００）のサイドリンクリソースプール（３０２１、３０２２）を使用して前記ワイヤレス通信システム（１００）の少なくとも１つの他の送受信機（１０９２）と通信するように構成され、
前記送受信機（１０９１）は、前記ワイヤレス通信システム（１００）の前記サイドリンクリソースプール（３０２１、３０２２）のうちの１つのサイドリンクリソースプール上のデータパケット（３００）を前記ワイヤレス通信システム（１００）の前記他の送受信機（１０９２）に伝送するように構成され、
前記送受信機（１０９１）は、前記データパケット（３００）または前記データパケット（３００）に含まれるデータに関連付けられたＰＰＰＲ値が高い信頼度を示す場合に、前記ワイヤレス通信システム（１００）の前記サイドリンクリソースプール（３０２１、３０２２）のうちの別のサイドリンクリソースプール（３０２２）上で前記データパケット（３００）を少なくとも１回（３００（２）、３００（３））再送するように構成される、送受信機（１０９１）。
【請求項２】
前記データパケット（３００）の再送の数は、前記ＰＰＰＲ値に依存する、請求項１に記載の送受信機（１０９１）。
【請求項３】
前記送受信機（１０９１）は、前記データパケット（３００）または前記データパケット（３００）に含まれるデータに関連付けられた前記ＰＰＰＲ値を取得するように構成される、請求項１または請求項２のいずれか一項に記載の送受信機（１０９１）。
【請求項４】
前記ワイヤレス通信システム（１００）の前記サイドリンクリソースプール（３０２１、３０２２）は、モード３リソースプール、モード４リソースプール、共有リソースプール、非共有リソースプール、または例外リソースプールのうちの少なくとも２つのリソースプールである、請求項１〜請求項３のいずれか一項に記載の送受信機（１０９１）。
【請求項５】
前記ＰＰＰＲ値の範囲は、１〜８であり、
１のＰＰＰＲ値は最も高い信頼度を示し、８のＰＰＰＲ値は最も低い信頼度を示す、請求項１〜請求項４のいずれか一項に記載の送受信機（１０９１）
【請求項６】
前記送受信機（１０９１）は、前記ＰＰＰＲ値が事前に定義された閾値を超える場合、前記データパケット（３００）を少なくとも１回（３００（２）、３００（３））再送するように構成される、請求項１〜請求項５のいずれか一項に記載の送受信機（１０９１）。
【請求項７】
前記送受信機（１０９１）は、前記ＰＰＰＲ値が事前に定義された信頼度以上の信頼度を示す場合、前記データパケット（３００）を少なくとも１回（３００（２）、３００（３））再送するように構成される、請求項１〜請求項６のいずれか一項に記載の送受信機（１０９１）。
【請求項８】
前記送受信機（１０９１）は、前記ワイヤレス通信システム（１００）の中央送受信機（例えば、基地局）によってサービス提供され、前記送受信機（１０９１）は、Ｖ２Ｘモード３で動作するように構成され、この場合、前記少なくとも１つの他の送受信機（１０９２）との通信のためのリソースのスケジューリングは、前記中央送受信機によって実行され、
前記送受信機（１０９１）は、前記ワイヤレス通信システム（１００）の前記サイドリンクリソースプール（３０２１、３０２２）のＶ２Ｘモード３リソースプール上で前記データパケット（３００）を伝送するように構成され、
前記送受信機（１０９１）は、前記ワイヤレス通信システムの前記サイドリンクリソースプールのＶ２Ｘモード４リソースプール、共有リソースプール、非共有リソースプール、または例外リソースプール上で前記データパケット（３００）を少なくとも１回（３００（２）、３００（３））再送するように構成される、請求項１〜請求項７のいずれか一項に記載の送受信機（１０９１）
【請求項９】
前記送受信機（１０９１）は、前記ワイヤレス通信システム（１００）の中央送受信機（例えば、基地局）によってサービス提供され、前記送受信機（１０９１）は、ＮＲ  Ｖ２Ｘモード１で動作するように構成され、この場合、前記少なくとも１つの他の送受信機（１０９２）との通信のためのリソースのスケジューリングは、前記中央送受信機によって実行され、
前記送受信機（１０９１）は、前記ワイヤレス通信システムの前記サイドリンクリソースプールのＮＲ  Ｖ２Ｘモード１リソースプール上で前記データパケット（３００）を伝送するように構成され、
前記送受信機（１０９１）は、前記ワイヤレス通信システムの前記サイドリンクリソースプールの別のまたは同じＮＲ  Ｖ２Ｘモード１リソースプール、ＮＲ  Ｖ２Ｘモード２リソースプール、共有リソースプール、非共有リソースプール、または例外リソースプール上で前記データパケット（３００）を少なくとも１回（３００（２）、３００（３））再送するように構成される、請求項１〜請求項７のいずれか一項に記載の送受信機（１０９１）。
【請求項１０】
前記送受信機（１０９１）は、前記ワイヤレス通信システム（１００）の中央送受信機（例えば、基地局）によってサービス提供され、前記送受信機（１０９１）は、Ｄ２Ｄモード１で動作するように構成され、この場合、前記少なくとも１つの他の送受信機（１０９２）との通信のためのリソースのスケジューリングは、前記中央送受信機によって実行され、
前記送受信機（１０９１）は、前記ワイヤレス通信システムの前記サイドリンクリソースプールのＤ２Ｄモード１リソースプール上で前記データパケット（３００）を伝送するように構成され、
前記送受信機（１０９１）は、前記ワイヤレス通信システムの前記サイドリンクリソースプールの別のまたは同じＤ２Ｄモード１リソースプール、Ｄ２Ｄモード２リソースプール、共有リソースプール、非共有リソースプール、または例外リソースプール上で前記データパケット（３００）を少なくとも１回（３００（２）、３００（３））再送するように構成される、請求項１〜請求項７のいずれか一項に記載の送受信機（１０９１）。
【請求項１１】
前記送受信機（１０９１）は、Ｖ２Ｘモード４で動作するように構成され、前記送受信機（１０９１）は、前記サイドリンク通信のためのリソースを自律的にスケジューリングするように構成され、
前記送受信機（１０９１）は、前記ワイヤレス通信システム（１００）の前記サイドリンクリソースプール（３０２１、３０２２）のＶ２Ｘモード４リソースプール上で前記データパケット（３００）を伝送するように構成され、
前記送受信機（１０９１）は、前記ワイヤレス通信システムの前記サイドリンクリソースプールのＶ２Ｘモード３リソースプール、共有リソースプール、非共有リソースプール、または例外リソースプール上で前記データパケット（３００）を少なくとも１回再送するように構成される、請求項１〜請求項７のいずれか一項に記載の送受信機（１０９１）。
【請求項１２】
前記送受信機（１０９１）は、ＮＲ  Ｖ２Ｘモード２で動作するように構成され、前記送受信機（１０９１）は、前記サイドリンク通信のためのリソースを自律的にスケジューリングするように構成され、
前記送受信機（１０９１）は、前記ワイヤレス通信システム（１００）の前記サイドリンクリソースプール（３０２１、３０２２）のＮＲ  Ｖ２Ｘモード２リソースプール上で前記データパケット（３００）を伝送するように構成され、
前記送受信機（１０９１）は、前記ワイヤレス通信システムの前記サイドリンクリソースプールの別のまたは同じＮＲ  Ｖ２Ｘモード２リソースプール、ＮＲ  Ｖ２Ｘモード１リソースプール、共有リソースプール、非共有リソースプール、または例外リソースプール上で前記データパケット（３００）を少なくとも１回（３００（２）、３００（３））再送するように構成される、請求項１〜請求項７のいずれか一項に記載の送受信機（１０９１）。
【請求項１３】
前記送受信機（１０９１）は、Ｄ２Ｄモード２で動作するように構成され、前記送受信機（１０９１）は、前記サイドリンク通信のためのリソースを自律的にスケジューリングするように構成され、
前記送受信機（１０９１）は、前記ワイヤレス通信システム（１００）の前記サイドリンクリソースプール（３０２１、３０２２）のＤ２Ｄモード２リソースプール上で前記データパケットを伝送するように構成され、
前記送受信機（１０９１）は、前記ワイヤレス通信システムの前記サイドリンクリソースプールの別のまたは同じＤ２Ｄモード２リソースプール、Ｄ２Ｄモード１リソースプール、共有リソースプール、非共有リソースプール、または例外リソースプール上で前記データパケット（３００）を少なくとも１回（３００（２）、３００（３））再送するように構成される、請求項１〜請求項７のいずれか一項に記載の送受信機（１０９１）。
【請求項１４】
前記送受信機（１０９１）は、ＲＬＦ／非センシング情報またはハンドオーバが利用可能である場合に、前記ワイヤレス通信システム（１００）の前記サイドリンクリソースプールの例外リソースプール上で前記データパケット（３００）を伝送するように構成され、さらに前記ワイヤレス通信システム（１００）の前記サイドリンクリソースプールの以前に使用されたリソースプール上で前記データパケットを少なくとも１回再送するように構成される、請求項１〜請求項１３のいずれか一項に記載の送受信機（１０９１）。
【請求項１５】
前記送受信機（１０９１）は、キャリアアグリゲーションの場合に、コンポーネントキャリア上で前記データパケット（３００）を伝送するように構成され、さらに別のコンポーネントキャリア上で前記データパケットを少なくとも１回再送するように構成される、請求項１〜請求項１４のいずれか一項に記載の送受信機（１０９１）。
【請求項１６】
ワイヤレス通信システム（１００）用の送受信機（１０９１）であって、
前記送受信機（１０９１）は、前記ワイヤレス通信システム（１００）の少なくとも１つの他の送受信機（１０９２）と通信するように構成され、
前記送受信機（１０９１）は、コンポーネントキャリア上のデータパケット（３００）を前記ワイヤレス通信システム（１００）の前記他の送受信機（１０９２）に伝送するように構成され、
前記送受信機（１０９１）は、前記データパケット（３００）または前記データパケット（３００）に含まれるデータに関連付けられたＰＰＰＲ値が高い信頼度を示す場合に、少なくとも１つの他のコンポーネントキャリア上で前記データパケット（３００）を少なくとも１回（３００（２）、３００（３））再送するように構成される、送受信機（１０９１）。
【請求項１７】
前記送受信機（１０９１）は、前記ＰＰＰＲ値が事前に定義された信頼度または閾値以上の信頼度を示す場合に、前記データパケット（３００）を少なくとも１回（３００（２）、３００（３））再送するように構成される、請求項１６に記載の送受信機（１０９１）。
【請求項１８】
前記送受信機（１０９１）は、前記ワイヤレス通信システムの中央送受信機（例えば、基地局）によってサービス提供され、前記送受信機（１０９１）は、ＬＴＥ  Ｖ２Ｘモード３、ＮＲ  Ｖ２Ｘモード１またはＤ２Ｄモード１で動作するように構成され、この場合、前記少なくとも１つの他の送受信機（１０９２）との通信のためのリソースのスケジューリングは、前記中央送受信機によって実行される、請求項１６または請求項１７のいずれかに記載の送受信機（１０９１）。
【請求項１９】
前記送受信機（１０９１）は、Ｖ２Ｘモード４、ＮＲ  Ｖ２Ｘモード２またはＤ２Ｄモード２で動作するように構成され、前記送受信機（１０９１）は、前記サイドリンク通信のためのリソースを自律的にスケジューリングするように構成される、請求項１６または請求項１７のいずれかに記載の送受信機（１０９１）。
【請求項２０】
前記送受信機（１０９１）は、キャリアアグリゲーションを使用して動作するように構成される、請求項１６〜請求項１９のいずれか一項に記載の送受信機。
【請求項２１】
ワイヤレス通信システム（１００）用の送受信機（１０９１）であって、
前記送受信機（１０９１）は、前記ワイヤレス通信システム（１００）のサイドリンクリソースプールを使用して前記ワイヤレス通信システム（１００）の少なくとも１つの他の送受信機（１０９１）と通信するように構成され、
前記送受信機（１０９１）は、前記ワイヤレス通信システム（１００）の前記サイドリンクリソースプール（３０２１、３０２２）のうちの１つのサイドリンクリソースプール上のデータパケット（３００）を前記ワイヤレス通信システム（１００）の前記他の送受信機（１０９２）に伝送するように構成され、
前記送受信機（１０９１）は、前記データパケット（３００）または前記データパケット（３００）に含まれるデータに関連付けられたＰＰＰＲ値が高い信頼度を示す場合に、
前記ワイヤレス通信システム（１００）の前記サイドリンクリソースプール（３０２１、３０２２）のうちの別のサイドリンクリソースプール上で、
または、キャリアアグリゲーションの場合、別のコンポーネントキャリア上で、
または、前記ワイヤレス通信システム（１００）の前記サイドリンクリソースプール（３０２１、３０２２）のうちの同じリソースプール上であるが、異なるキャリア上で、
前記データパケット（３００）を少なくとも１回再送するように構成される、送受信機（１０９１）。
【請求項２２】
前記送受信機（１０９１）は、前記ＰＰＰＲ値が事前に定義された信頼度または閾値以上の信頼度を示す場合に、前記データパケット（３００）を少なくとも１回再送するように構成される、請求項２１に記載の送受信機（１０９１）。
【請求項２３】
前記送受信機（１０９１）は、前記ワイヤレス通信システム（１００）の中央送受信機（例えば、基地局）によってサービス提供され、前記送受信機（１０９１）は、ＬＴＥ  Ｖ２Ｘモード３、ＮＲ  Ｖ２Ｘモード１またはＤ２Ｄモード１で動作するように構成され、この場合、前記少なくとも１つの他の送受信機（１０９２）との通信のためのリソースのスケジューリングは、前記中央送受信機によって実行される、請求項２１または請求項２２のいずれかに記載の送受信機（１０９１）。
【請求項２４】
前記送受信機（１０９１）は、ＬＴＥ  Ｖ２Ｘモード４、ＮＲ  Ｖ２Ｘモード２またはＤ２Ｄモード２で動作するように構成され、前記送受信機（１０９１）は、前記サイドリンク通信のためのリソースを自律的にスケジューリングするように構成される、請求項２１または請求項２２のいずれかに記載の送受信機（１０９１）。
【請求項２５】
ワイヤレス通信システム（１００）のサイドリンクリソースプール（３０２１、３０２２）を使用して互いに通信している少なくとも２つの送受信機（１０９１、１０９２）間の前記ワイヤレス通信システム（１００）においてデータパケットを伝送する方法（４００）であって、
前記ワイヤレス通信システム（１００）の前記サイドリンクリソースプール（３０２１、３０２２）のうちの１つのサイドリンクリソースプール上のデータパケット（３００）を前記ワイヤレス通信システム（１００）の前記他の送受信機（１０９２）に伝送すること（４０２）と、
前記データパケット（３００）または前記データパケット（３００）に含まれるデータに関連付けられたＰＰＰＲ値が高い信頼度を示す場合に、前記ワイヤレス通信システム（１００）の前記サイドリンクリソースプール（３０２１、３０２２）のうちの別のサイドリンクリソースプール上で前記データパケット（３００）を少なくとも１回（３００（２）、３００（３））再送すること（４０４）と
を含む、方法（４００）。
【請求項２６】
互いに通信している少なくとも２つの送受信機（１０９１、１０９２）間のワイヤレス通信システム（１００）においてデータパケットを伝送する方法（４１０）であって、
コンポーネントキャリア上のデータパケット（３００）を前記ワイヤレス通信システム（１００）の送受信機（１０９１）から他の送受信機（１０９２）に伝送すること（４１２）と、
前記データパケット（３００）または前記データパケット（３００）に含まれるデータに関連付けられたＰＰＰＲ値が高い信頼度を示す場合に、少なくとも１つの他のコンポーネントキャリア上で前記データパケット（３００）を少なくとも１回（３００（２）、３００（３））再送すること（４１４）と
を含む、方法（４１０）。
【請求項２７】
ワイヤレス通信システム（１００）のサイドリンクリソースプール（３０２１、３０２２）を使用して互いに通信している少なくとも２つの送受信機（１０９１、１０９２）間の前記ワイヤレス通信システム（１００）においてデータパケットを伝送する方法（４２０）であって、
前記ワイヤレス通信システム（１００）の前記サイドリンクリソースプール（３０２１、３０２２）のうちの１つのサイドリンクリソースプール上のデータパケット（３００）を前記ワイヤレス通信システム（１００）の一方の送受信機（１０９１）から他方の送受信機（１０９１）に伝送すること（４２２）と、
前記データパケット（３００）または前記データパケット（３００）に含まれるデータに関連付けられたＰＰＰＲ値が高い信頼度を示す場合に、
前記ワイヤレス通信システム（１００）の前記サイドリンクリソースプール（３０２１、３０２２）のうちの別のサイドリンクリソースプール上で、
または、キャリアアグリゲーションの場合、別のコンポーネントキャリア上で、
または、前記ワイヤレス通信システム（１００）の前記サイドリンクリソースプール（３０２１、３０２２）のうちの同じリソースプール上であるが、異なるキャリア上で、
前記データパケット（３００）を少なくとも１回再送すること（４２４）と
を含む、方法（４２０）。
【請求項２８】
コンピュータまたはマイクロプロセッサ上で実行されたときに、請求項２５〜請求項２７のいずれか一項に記載の方法を実行するためのコンピュータプログラム。
【国際調査報告】
2021518717.tif 000017
2021518717.tif 000018
2021518717.tif 000019
2021518717.tif 000020
2021518717.tif 000021
2021518717.tif 000022